(57)【要約】  本発明は、視力矯正用レンズ（１）、特に視力矯正用コンタクトレンズの形態の視力矯正用レンズ（１）であって、このレンズ（１）は、裏面側（１２）、及びこの裏面側（１２）から離れる方向を向く前面側（１１）を有する透明な基部要素（１０）と、上記基部要素（１０）に接続されている透明かつ弾性的に拡張可能な膜（２０）であって、上記膜（２０）は上記前記基部要素（１０）の前面側（１１）を向く裏面側（２２）を備える透明かつ弾性的に拡張可能な膜（２０）と、（特に上記膜（２０）に接続されている）レンズ成形部材（３０）であって、このレンズ成形部材（３０）は、調整可能な曲率を有する上記膜（２０）の領域（２３）を画定するレンズ成形部材（３０）と、上記領域（２３）に隣接するレンズ容積（４１）であって、透明な液体（５０）が中に配置されているレンズ容積と、前記レンズ（１）の周辺領域（２４）に配置される液溜め容積（４２）であって、透明な液体（５０）が中に配置されている液溜め容積と、少なくとも１つの電気浸透ポンプ（７０）であって、前記膜（２０）の上記領域（２３）の曲率が変化し、これに伴い当該レンズ（１）の焦点距離が変化するように、前記液溜め容積（４２）から前記レンズ容積（４１）へ、又は前記レンズ容積（４１）から前記液溜め容積（４２）へと透明な液体（５０）を移動させるように構成されている少なくとも１つの電気浸透ポンプ（７０）とを備える視力矯正用レンズ（１）に関する。【選択図】図３
2021508379.tif 000002
【特許請求の範囲】
【請求項１】
視力矯正用レンズ（１）であって、
裏面側（１２）、及び前記裏面側（１２）から離れる方向を向く前面側（１１）を有する透明な基部要素（１０）と、
前記基部要素（１０）に接続されている透明かつ弾性的に拡張可能な膜（２０）であって、前記基部要素（１０）の前記前面側（１１）を向く裏面側（２２）を備える透明かつ弾性的に拡張可能な膜（２０）と、
レンズ成形部材（２０）であって、前記レンズ成形部材（３０）は、調整可能な曲率を有する前記膜（２０）の領域（２３）を画定するレンズ成形部材（２０）と、
前記領域（２３）に隣接するレンズ容積（４１）であって、透明な液体（５０）が中に配置されているレンズ容積（４１）と、
前記レンズ（１）の周辺領域（２４）に配置される液溜め容積（４２）であって、透明な液体（５０）が中に配置されている液溜め容積（４２）と、
少なくとも１つの電気浸透ポンプ（７０）であって、前記膜（２０）の前記領域（２３）の曲率が変化し、これに伴い前記レンズ（１）の焦点距離が変化するように、前記液溜め容積（４２）から前記レンズ容積（４１）へ、又は前記レンズ容積（４１）から前記液溜め容積（４２）へと透明な液体（５０）を移動させるように構成されている少なくとも１つの電気浸透ポンプ（７０）と
を備えるレンズ（１）。
【請求項２】
前記少なくとも１つの電気浸透ポンプ（７０）が膜アセンブリ（７１）を備え、前記膜アセンブリ（７１）が多孔質膜（１７３）、第１電極（１７１）、及び第２電極（１７２）を備え、前記多孔質膜（１７３）が前記電極（１７１、１７２）間に配置され、並びに／又は前記電極（１７１、１７２）が前記多孔質膜（１７３）に接続されていることを特徴とする請求項１に記載のレンズ。
【請求項３】
前記膜アセンブリ（７１）が、前記液溜め容積（４２）の第１領域（１７４）を前記液溜め容積（４２）の第２領域（１７５）から隔てることを特徴とする請求項２に記載のレンズ。
【請求項４】
前記レンズ容積（４１）並びに前記液溜め容積（４２）の前記第１領域及び前記第２領域（１７４、１７５）には、前記透明な液体（５０）が充填されており、前記多孔質膜（１７３）が、前記液溜め容積（４２）の前記第２領域（１７５）を介して前記レンズ容積（４１）と流入接続されており、前記液溜め容積（４２）から前記レンズ容積（４１）へと前記液体（５０）を移動させるために、前記少なくとも１つの電気浸透ポンプ（７０）が、前記液溜め容積（４２）の前記第１領域（１７４）から前記液溜め容積（４２）の前記第２領域（１７５）へと液体（５０）を圧送するように構成されており、並びに／又は前記レンズ容積（４１）から前記液溜め容積（４２）へと前記液体（５０）を移動させるために、前記少なくとも１つの電気浸透ポンプ（７０）が、前記液溜め容積（４２）の前記第２領域（１７５）から前記液溜め容積（４２）の前記第１領域（１７４）へと液体（５０）を圧送するように構成されていることを特徴とする請求項３に記載のレンズ。
【請求項５】
前記レンズ（１）が、前記液溜め容積（４２）をポンプ容積（７０１）から隔てるアクチュエータ膜（２００）を備え、前記膜アセンブリ（７１）が、前記ポンプ容積（７０１）を第１領域（７０２）及び第２領域（７０３）へと隔て、前記ポンプ容積（７０１）の前記第２領域（７０３）が、前記膜アセンブリ（７１）と前記アクチュエータ膜（２００）との間に配置されていることを特徴とする請求項２に記載のレンズ。
【請求項６】
前記レンズ容積（４１）及び前記液溜め容積（４２）には、前記透明な液体（５０）が充填されており、前記ポンプ容積（７０１）の前記第１領域（７０２）及び前記第２領域（７０３）には圧送液体（５０ａ）が充填されていることを特徴とする請求項５に記載のレンズ。
【請求項７】
前記圧送液体（５０ａ）が、前記レンズ容積（４１）の中及び前記液溜め容積（４２）の中に配置される前記液体（５０）と同一であるか、又は前記レンズ容積（４１）の中及び前記液溜め容積（４２）の中に配置される前記液体（５０）とは異なることを特徴とする請求項６に記載のレンズ。
【請求項８】
前記液溜め容積（４２）から前記レンズ容積（４１）へと前記液体（５０）を移動させるために、前記少なくとも１つの電気浸透ポンプ（７０）が、前記アクチュエータ膜（２００）が前記液溜め容積（４２）の中に存在する液体（５０）を前記レンズ容積（４１）の中へと押し込むように圧送液体（５０ａ）を前記アクチュエータ膜（２００）に押し付けるように、前記第１領域（７０２）から前記第２領域（７０３）へと圧送液体（５０ａ）を圧送するように構成されており、並びに／又は前記レンズ容積（４１）から前記液溜め容積（４２）へと液体（５０）を移動させるために、前記少なくとも１つの電気浸透ポンプ（７０）が、前記アクチュエータ膜（２００）が前記レンズ容積（４１）から前記液溜め容積（４２）へと液体（５０）を引き出すように、前記第２領域（７０３）から前記ポンプ容積（７０１）の前記第１領域（７０２）へと圧送液体（５０ａ）を圧送するように構成されていることを特徴とする請求項６又は請求項７に記載のレンズ。
【請求項９】
前記レンズ（１）が、内側環状構造（１３）及び外側環状構造（１４）をさらに備え、前記膜アセンブリ（７１）が、前記外側環状構造及び前記内側環状構造（１３、１４）に接続されていることを特徴とする請求項２又は請求項２を引用するときの請求項３から請求項８のいずれか一項に記載のレンズ。
【請求項１０】
前記基部要素（１０）が、前記膜アセンブリ（７１）を前記基部要素（１０）に対して整列させるための、前記基部要素（１０）の周囲に沿って延在するステップ（１０ｃ）を備えることを特徴とする請求項２から請求項９のいずれか一項に記載のレンズ。
【請求項１１】
前記円周状のステップ（１０ｃ）が、前記外側環状構造（１４）を前記基部要素（１０）に対して整列させるために構成されていることを特徴とする請求項９又は請求項１０に記載のレンズ。
【請求項１２】
前記レンズ成形部材（３０）が、前記内側環状構造（１３）によって形成されることを特徴とする請求項９から請求項１１のいずれか一項に記載のレンズ。
【請求項１３】
前記内側環状構造（１３）が、前記基部要素（１０）の前記前面側（１１）に及び前記膜（２０）の前記裏面側（２２）に結合されていることを特徴とする請求項９から請求項１２のいずれか一項に記載のレンズ。
【請求項１４】
前記外側環状構造（１４）及び／又は前記内側環状構造（１３）が、液体（５０）が前記膜アセンブリ（７１）の周りを進むことを防止するように構成されており、前記外側環状構造（１４）が、前記基部要素（１０）の前記前面側（１２）に結合されていることを特徴とする請求項９から請求項１３のいずれか一項に記載のレンズ。
【請求項１５】
前記第１領域（１７４；７０２）が、弾性変形可能な壁（２０ａ）によって少なくとも部分的に輪郭画定されていることを特徴とする請求項３から請求項１４のいずれか一項に記載のレンズ。
【請求項１６】
前記液溜め容積（４２）の前記第２領域（１７５）が、少なくとも１つのチャネル（１７７）を介して、又は複数のチャネル（１７７）を介して前記レンズ容積（４１）に接続されていることを特徴とする請求項１から請求項１５のいずれか一項に記載のレンズ。
【請求項１７】
前記膜アセンブリ（７１）が、湾曲形状、円環形状、球台の形状、円錐台の形状のうちの１つを備えることを特徴とする請求項２又は請求項２を引用するときの請求項３から請求項１６のいずれか一項に記載のレンズ。
【請求項１８】
前記膜アセンブリ（７１）が第１側（７１ａ）及び前記第１側（７１ａ）から離れる方向を向く第２側（７１ｂ）を備え、前記第１側（７１ａ）が、前記基部要素（１０）の前面側（１１）から離れる方向を向き、前記第２側（７１ｂ）が前記基部要素（１０）の前記前面側（１１）に対向するように、前記膜アセンブリ（７１）が、前記基部要素（１０）の前記前面側（１１）に沿って延在することを特徴とする請求項２又は請求項２を引用するときの請求項３から請求項１７のいずれか一項に記載のレンズ。
【請求項１９】
前記膜アセンブリ（７１）が波形形状を備えることを特徴とする請求項２又は請求項２を引用するときの請求項３から請求項１８のいずれか一項に記載のレンズ。
【請求項２０】
前記膜アセンブリ（７１）が、前記レンズ容積（４１）の中心から前記レンズ（１）の周囲（１ａ）に向かう方向（Ｒ）の方向に波形形状を備えるか、又は前記膜アセンブリ（７１）が、前記レンズ（１）の周方向に波形形状を備えることを特徴とする請求項１９に記載のレンズ。
【請求項２１】
前記膜アセンブリ（７１）が湾曲部分（７１０）を備え、これにより、前記膜アセンブリ（７１）が、前記湾曲部分（７１０）を介して接続され互いに向かい合う第１区画（７１１）及び第２区画（７１２）を備え、前記膜アセンブリ（７１）の前記区画（７１１、７１２）の各々が、前記基部要素（１０）の前記前面側（１１）に沿って延在することを特徴とする請求項２又は請求項２を引用するときの請求項３から請求項１８のいずれか一項に記載のレンズ。
【請求項２２】
前記膜アセンブリ（７１）が複数の湾曲部分（７１ｃ）を備え、各湾曲部分（７１ｃ）が、前記膜アセンブリ（７１）の２つの隣接する区画（７１３）を互いに接続し、これにより、前記膜アセンブリ（７１）が、前記基部要素（１０）の前記前面側（１１）の法線方向（Ｄ’）に、又は前記レンズ（１）の光軸（Ａ）に平行な方向に重ねて配置される複数の区画（７１３）を備えることを特徴とする請求項２又は請求項２を引用するときの請求項３から請求項１８のいずれか一項に記載のレンズ。
【請求項２３】
前記少なくとも１つの電気浸透膜（７０）が、前記基部要素（１０）の前記前面側（１１）に向かって、又は前記基部要素（１０）の前記前面側から離れるように方向づけられた前記液体（５０）の流れ（Ｆ）を発生させるように構成されていることを特徴とする請求項１から請求項２２のいずれか一項に記載のレンズ。
【請求項２４】
前記膜アセンブリ（７１）が、前記基部要素（１０）の前記前面側（１１）の法線方向（Ｄ’）又は前記レンズ（１）の光軸に平行な方向に沿って延在し、これにより、前記膜アセンブリ（７１）が、前記レンズ（１）の光軸（Ａ）から離れる方向を向く第１側（７１ａ）及び前記光軸（Ａ）を向く第２側（７１ｂ）を備えることを特徴とする請求項２又は請求項２を引用するときの請求項３から請求項１７のいずれか一項に記載のレンズ。
【請求項２５】
前記膜アセンブリ（７１）が、前記レンズ（１）の光軸（Ａ）の周りに延在するらせんを形成することを特徴とする請求項２に記載のレンズ。
【請求項２６】
前記膜アセンブリ（７１）が、第１多孔質層及び第２多孔質層（７ａ、７ｂ）をさらに備え、前記多孔質膜（１７３）及び前記２つの電極（１７１、１７２）が前記２つの多孔質層（７ａ、７ｂ）の間に配置されていることを特徴とする請求項２５に記載のレンズ。
【請求項２７】
少なくとも１つの細長い導体（７ｃ）が、前記電極（１７１、１７２）の各々に配置されているか、又は前記電極（１７１、１７２）の各々によって備えられていることを特徴とする請求項２又は請求項２６に記載のレンズ。
【請求項２８】
前記膜アセンブリ（７１）が折り畳まれて折り畳み構造を形成し、これにより、前記第２多孔質層（７ｂ）の２つの区画（７ｂｂ）が互いに接触し並んで延在し、前記折り畳み構造（７１）が前記らせん（７１）へと形成されることを特徴とする請求項２５から請求項２７のいずれか一項に記載のレンズ。
【請求項２９】
前記らせん（７１）又は折り畳み構造（７１）が複数のターン（７１ｄ、７１ｄｄ）を備えることを特徴とする請求項２５から請求項２８のいずれか一項に記載のレンズ。
【請求項３０】
前記らせん構造又は折り畳み構造（７１）が、２個を超えるターン、好ましくは１０個を超えるターン（７１ｄ、７１ｄｄ）を備えることを特徴とする請求項２９に記載のレンズ。
【請求項３１】
前記折り畳み構造（７１）の最外ターン（７１ｄｄ）の端区画（７１ｅ）が、前記多孔質膜（１７３）の内側部分（１７３ａ）及び外側部分（１７３ｂ）を含み、前記内側部分（１７３ａ）が、液密封止材（１７８）を介して、前記らせん（７１）の隣接するターン（７１ｄ）の前記多孔質膜（１７３）の隣接部分（１７３ｃ）に接続されており、前記隣接するターン（７１ｄ）がさらに内部に配置されていることを特徴とする請求項２９又は請求項３０に記載のレンズ。
【請求項３２】
前記膜アセンブリ（７１）が前記液溜め容積（４２）に配置されていることを特徴とする請求項２５から請求項３１のいずれか一項に記載のレンズ。
【請求項３３】
前記膜アセンブリ（７１）が、前記液溜め容積（４１）の外側領域（４１ａ）から前記レンズ成形部材（３０）に向かって延在することを特徴とする請求項３２に記載のレンズ。
【請求項３４】
前記レンズ成形部材（３０）が、前記液溜め容積（４２）を前記レンズ容積（４１）から隔てることを特徴とする請求項１から請求項３３のいずれか一項に記載のレンズ。
【請求項３５】
前記膜アセンブリ（７１）が以下のうちの１つであることを特徴とする請求項２５から請求項３１のいずれか一項に記載のレンズ：前記レンズ成形部材（３０）の下方に配置されている；前記レンズ成形部材（３０）の一部を形成する；前記レンズ成形部材（３０）を形成する。
【請求項３６】
前記液溜め容積（４２）から前記レンズ容積（４１）へと前記液体（５０）を移動させるために、前記少なくとも１つの電気浸透ポンプ（７０）が、前記膜アセンブリ（７１）を通って前記レンズ容積（４１）へと液体（５０）を圧送するように構成されており、及び／又は前記レンズ容積（４１）から前記液溜め容積（４２）へと前記液体（５０）を移動させるために、前記少なくとも１つの電気浸透ポンプ（７０）が、前記膜アセンブリ（７１）を通って前記レンズ容積（４１）から前記液溜め容積（４２）へと液体（５０）を圧送するように構成されていることを特徴とする請求項２５から請求項３５のいずれか一項に記載のレンズ。
【請求項３７】
前記膜アセンブリ（７１）が前記基部要素（１０）の前記前面側（１１）の５０％未満、好ましくは１０％未満を覆うことを特徴とする請求項２又は請求項２を引用するときの請求項３から請求項３６のいずれか一項に記載のレンズ。
【請求項３８】
前記少なくとも１つの電気浸透膜（７０）が、前記基部要素（１０）の前記前面側（１１）に沿って方向づけられた前記液体（５０）の流れ（Ｆ）を発生させるように構成されていることを特徴とする請求項２４から請求項３７のいずれか一項に記載のレンズ。
【請求項３９】
前記液溜め容積（４２）が、弾性変形可能な壁（２０ａ）によって少なくとも部分的に輪郭画定されていることを特徴とする請求項２５から請求項３８のいずれか一項に記載のレンズ。
【請求項４０】
前記弾性変形可能な壁（２０ａ）が、前記透明かつ弾性的に拡張可能な膜（２０）の一部分（２０ａ）によって形成されていることを特徴とする請求項１５又は請求項３９に記載のレンズ。
【請求項４１】
前記液溜め容積（４２）が、少なくとも１つのチャネル（１７７）を介して、又は複数のチャネル（１７７）を介して前記レンズ容積（４１）に接続されていることを特徴とする請求項２５から請求項４０のいずれか一項に記載のレンズ。
【請求項４２】
前記少なくとも１つのチャネル（１７７）又は前記複数のチャネル（１７７）が、以下のうちの少なくとも１つであることを特徴とする請求項１６又は請求項４１に記載のレンズ：前記レンズ成形部材（３０）へと、及び／又は前記基部要素（１０）へと少なくとも部分的に形成されている；前記レンズ成形部材（３０）へと形成されている；前記レンズ成形部材（３０）の一部分と前記基部要素（１０）の一部分との間に配置されている。
【請求項４３】
前記少なくとも１つのチャネル（１７７）が０．０１ｍｍ２〜０．１５ｍｍ２の範囲の断面積を備えること、及び／又は前記少なくとも１つのチャネル（１７７）が０．２５ｍｍ〜０．７５ｍｍの範囲の長さを備えることを特徴とする請求項１６、請求項４１又は請求項４２に記載のレンズ。
【請求項４４】
前記チャネル（１７７）が、前記チャネル（１７７）の上方に配置されている前記レンズ成形部材（３０）の一部分の偏向を防止するように、前記レンズ成形部材（３０）に沿って配置されていることを特徴とする請求項１６及び請求項４１から請求項４３のいずれか一項に記載のレンズ。
【請求項４５】
前記レンズ成形部材（３０）が環状レンズ成形部材であることを特徴とする請求項１から請求項４４のいずれか一項に記載のレンズ。
【請求項４６】
前記少なくとも１つの電気浸透ポンプ（１７０）が、前記電極（１７１、１７２）に印加される電圧に応じて前記液溜め容積（４２）から前記レンズ容積（４１）へ、又は前記レンズ容積（４１）から前記液溜め容積（４２）へ液体（５０）を移動させるように、前記液体（５０）を圧送するように構成されていることを特徴とする請求項２又は請求項２を引用するときの請求項３から請求項４５のいずれか一項に記載のレンズ。
【請求項４７】
前記レンズ（１）が、前記電圧を提供するためのエネルギー源（１１０）を備えることを特徴とする請求項４６に記載のレンズ。
【請求項４８】
前記レンズ（１）が、電気エネルギーを前記エネルギー源（１１０）に提供するために構成されている充電デバイスを備えることを特徴とする請求項４７に記載のレンズ。
【請求項４９】
前記レンズ（１）が、前記レンズのユーザの状態、前記レンズのユーザの動き、前記レンズのユーザが見ている物体との距離のうちの少なくとも１つを検出するように構成されているセンサ（８０）を備え、前記センサが、前記状態、前記動き、前記距離のうちの少なくとも１つを示す対応する制御信号を発生するように構成されていることを特徴とする請求項１から請求項４８のいずれか一項に記載のレンズ。
【請求項５０】
前記レンズ（１）が、前記電圧を制御するように構成されている処理装置（１９０）を備えることを特徴とする請求項４６から請求項４９のいずれか一項に記載のレンズ。
【請求項５１】
前記処理装置（１９０）が、前記制御信号を使用して前記電圧を制御するように構成されていることを特徴とする請求項４９又は請求項５０に記載のレンズ。
【請求項５２】
前記処理装置（１９０）が、所望の焦点距離に対応する前記レンズ容積（４１）の中の前記液体（５０）の圧力を維持する前記膜アセンブリ（７１）の前記電極（１７１、１７２）に振幅及びレートの電圧バースト（ＶＢ）を印加することを前記エネルギー源（１１０）にさせることにより、所望の焦点距離を保持するように構成されていることを特徴とする請求項２又は請求項５０に記載のレンズ。
【請求項５３】
前記少なくとも１つの電気浸透ポンプ（７０）が、前記レンズ容積（４１）の中の前記液体（５０）の圧力及び前記液溜め容積（４２）の中の前記液体（５０）の圧力が等しい静止状態を備えることを特徴とする請求項１から請求項５２のいずれか一項に記載のレンズ。
【請求項５４】
前記レンズ（１）が、前記レンズ容積（４１）から前記液溜め容積（４２）への液体（５０）の逆流を低減又はブロックするように構成されている少なくとも１つの受動バルブを備えることを特徴とする請求項１から請求項５３のいずれか一項に記載のレンズ。
【請求項５５】
前記レンズ（１）が、前記レンズ（１）の焦点距離を短くするために液体（５０）が前記レンズ容積（４１）から前記液溜め容積（４２）へと逆流することを可能にするように、開かれるように構成されている少なくとも１つの能動バルブ（１７６）を備えることを特徴とする請求項１から請求項５４のいずれか一項に記載のレンズ。
【請求項５６】
前記レンズ（１）が、少なくとも１つの能動バルブ（１７６）を備え、前記液溜め容積（４２）と前記レンズ容積（４１）との間の流入接続を遮断するために前記少なくとも１つの能動バルブ（１７６）を閉じるように構成されており、前記少なくとも１つの能動バルブ（１７６）が開いているときに前記液溜め容積（４２）から前記レンズ容積（４１）への前記液体（５０）の流れの流量を増加させるために、前記レンズ（１）が、前記少なくとも１つの能動バルブが閉じているときに前記液溜め容積（４２）の中の前記液体（５０）を加圧するように構成されており、及び／又は前記レンズ（１）が、前記少なくとも１つの能動バルブ（１７６）が開いているときに前記レンズ容積（４１）から前記液溜め容積（４２）への前記液体（５０）の流れの流量を増加させるように、前記少なくとも１つの能動バルブ（１７６）が閉じているときに、前記液溜め容積（４２）の前記第２領域（１７５）から前記液溜め容積（４２）の第１領域（１７４）へと液体（５０）を圧送し、前記液溜め容積（４２）の前記第２領域（１７５）において過少圧力を作り出すように構成されていることを特徴とする請求項１から請求項５５のいずれか一項に記載のレンズ。
【請求項５７】
以下のコンポーネントのうちの少なくとも１つが前記多孔質膜（１７３）に載置されていることを特徴とする請求項１から請求項５６のいずれか一項に記載のレンズ：前記センサ（８０）、前記バッテリ（１１０）、前記処理装置（１９０）、前記充電デバイス。
【請求項５８】
前記少なくとも１つのコンポーネント又は前記多孔質膜（７１）に載置されている前記コンポーネントが、それぞれのコンポーネントを電気的に接触させるために、前記多孔質膜（１７３）に結合されている導電性のトラックに接続されていることを特徴とする請求項５７に記載のレンズ。
【請求項５９】
前記導電性のトラック及び／又は前記電極（１７１、１７２）が前記多孔質膜（７１）にプリントされていることを特徴とする請求項１から請求項５８のいずれか一項に記載のレンズ。
【請求項６０】
前記レンズ（１）が、前記レンズ容積（４１）の中の前記液体（５０）の圧力を測定するように構成されていることを特徴とする請求項１から請求項５９のいずれか一項に記載のレンズ。
【請求項６１】
前記レンズ（１）が、前記レンズ容積（４１）の中の前記液体（５０）の測定された圧力から、前記レンズ（１）の焦点距離を決定するように構成されていることを特徴とする請求項６０に記載のレンズ。
【請求項６２】
前記レンズ容積（４１）の中の前記圧力を測定するために、前記レンズ（１）が、前記膜アセンブリ（７１）の前記電極（１７１、１７２）を使用して前記多孔質膜（１７３）にわたる流動電位を測定するように構成されており、前記レンズ（１）が、前記レンズ（１）の焦点距離を所望の値に調整するために、前記電圧を前記電極（１７１、１７２）に印加するように構成されており、前記レンズ（１）が、予め定められた時間間隔で前記電極（１７１、１７２）から前記電圧を反復的に取り除き、液体（５０）が前記液溜め容積（４２）から前記レンズ容積（４１）へと逆流することを可能にするように構成されており、前記レンズ（１）が、それぞれの時間間隔内での前記流動電位を測定するように構成されており、前記レンズ（１）が、測定された流動電位を所望の焦点距離に対応する流動電位の期待値と比較するように構成されており、前記レンズ（１）が、それぞれの測定された流動電位が前記流動電位の前記期待値に近づくように、前記電圧を調整するように構成されていることを特徴とする請求項４６、請求項６０又は請求項６１に記載のレンズ。
【請求項６３】
前記電極（１７１、１７２）が透明であり、及び／又は前記多孔質膜（１７３）の屈折率が前記液体（５０）の屈折率に一致することを特徴とする請求項２又は請求項２を引用するときの請求項３から請求項６２のいずれか一項に記載のレンズ。
【請求項６４】
前記レンズ（１）が、前記膜アセンブリ（７１）を被覆するための被覆要素を備え、これにより、前記被覆要素の背後にある前記膜アセンブリ（７１）を隠すことを特徴とする請求項１から請求項６２のいずれか一項に記載のレンズ。
【請求項６５】
前記レンズ（１）が、
人の眼（２）の表面上に直接設置されるように構成されているコンタクトレンズ、
人の眼（２）の内部に置かれるように構成されている眼内レンズ、
人の眼（２）の前に、特に、前記眼（２）から間隔を空けて置かれるように構成されているレンズ
のうちの１つであることを特徴とする請求項１から請求項６４のいずれか一項に記載のレンズ。
【請求項６６】
前記レンズ（１）が、前記エネルギー源（１１０）を充電するため、及び／又は無線様式で前記レンズ（１）に給電するためのコイル（１１１）を備え、前記レンズ（１）の前記コイル（１１１）以外の導電性要素（１７１、１７２、７ｃ）が閉ループを形成せず、並びに／又は前記第１電極及び前記第２電極（１７１、１７２）が開いた円環形状を備えることを特徴とする請求項１から請求項６５のいずれか一項に記載のレンズ。
【請求項６７】
電気浸透ポンプ（７０）用の膜アセンブリ（７１）の製造方法であって、
上面（１７３ｔ）及び前記上面（１７３ｔ）から離れる方向を向く底面（１７３ｂ）を有する多孔質膜（１７３）を備える平膜アセンブリシート（７１’）を準備する工程であって、電極層（１７１）が前記上面（１７３ｔ）に配置されており、電極層（１７２）が前記底面（１７３ｂ）に配置されている工程と、
前記平膜アセンブリシート（７１’）の湾曲部分（７１）を前記平膜アセンブリシート（７１’）から分離し、対向する端（Ｅ）を有する湾曲した膜アセンブリ（７１）を得る工程と、
前記対向する端（Ｅ）を液密接続（Ｃ）により互いに結合して、前記膜アセンブリ（７１）を円錐台形状へと形成する工程と
を備える方法。
【請求項６８】
前記円錐台形状の膜アセンブリ（７１）が球台へと形成される請求項６７に記載の方法。
【発明の詳細な説明】
【技術分野】
【０００１】
本発明は、レンズ、特に調整可能な焦点距離を有するコンタクトレンズに関する。
【０００２】
より具体的には、本発明は、このような流体レンズの設計並びに使用方法及び制御方法に関する。本発明は、コンタクトレンズに応用可能であるだけでなく、様々な異なる用途において使用されてもよい他のレンズにも応用可能である。
【０００３】
国際公開第２００８１１５２５１号パンフレットには、ユーザがレンズを装用したときに眼の光軸と整列する中央ゾーンを備える本体を有するソフトコンタクトレンズが記載されている。１つの実施形態では、このソフトレンズは、レンズの下方部分からその中心軸まで延在するチャンバーであって、かつ人が下を向くときに流体が液溜め（リザーバ）から絞り出されてレンズの光学特性を変化させるように配置されたチャンバーを備える。
【０００４】
さらに、国際公開第９８／１４８２０号パンフレットは、第１半体及び反対側の第２半体を備える本体を有する可変焦点コンタクトレンズを記載する。この本体は、第１周面、反対側の第２周面及び関連する焦点距離も有する。このレンズは、第１表面及び第２表面に圧縮力が加えられたときに、その圧縮力に比例してレンズの焦点距離が変化するように弾力性のある第１材料を備える。レンズにおける非点収差を抑制するようにレンズ内で力を分散させるために、力を分散させる構造が配置されている。
【０００５】
さらには、米国特許出願公開第２０１２／０２６８７１２号明細書の、流体が満たされた調整可能なコンタクトレンズは、コンタクトレンズを装用しているユーザの瞳孔に配置されるように構成されたレンズチャンバーと、レンズチャンバーに流体接続されている液溜めと、レンズチャンバーと液溜めとの間で流体を往復して移動させるように構成されたアクチュエータと、ユーザによって所定の動きがなされたときにユーザからの動きを感知し制御信号を送信するように構成されたセンサと、センサから制御信号を受け取るとアクチュエータを作動させるように構成されたプロセッサとを備える例示的なコンタクトレンズを示す。
【０００６】
さらに、米国特許第８７５５１２４号明細書は、膜と、この膜のための支持体と、膜と支持体との間にある流体と、膜を変形させるためのアクチュエータと、剛性のリングであって、この剛性のリングによって取り囲まれた上記膜に接続されている剛性のリングとを備え、上記剛性のリングが明確な外周を有する調整可能な光学レンズを記載する。
【先行技術文献】
【特許文献】
【０００７】
【特許文献１】国際公開第２００８１１５２５１号パンフレット
【特許文献２】国際公開第９８／１４８２０号パンフレット
【特許文献３】米国特許出願公開第２０１２／０２６８７１２号明細書
【特許文献４】米国特許第８７５５１２４号明細書
【発明の概要】
【発明が解決しようとする課題】
【０００８】
上記のことに基づき、本発明の根底にある課題は、特に、コンタクトレンズの焦点距離を正確に調整することを可能にし、かつ低電圧レベルで動作することができ、（例えばまぶたによって引き起こされる）レンズの機械的変形にさらに抵抗することができる改善されたコンタクトレンズを提供することである。
【０００９】
この課題は、請求項１の特徴を有するレンズ（例えば、コンタクトレンズ）によって解決される。本発明の好ましい実施形態は、対応する従属請求項に明記されているか、又は以下に説明されている。
【００１０】
請求項１によれば、視力矯正用レンズ、特にコンタクトレンズ、が開示され、このレンズは、特に、人の眼の表面上に直接設置されるように構成されており、このレンズは、
裏面側、及びこの裏面側から離れる方向を向く前面側を有する透明な基部要素と、
上記基部要素に接続されている透明かつ弾性的に拡張（膨張）可能な膜であって、上記基部要素の上記前面側を向く裏面側を備える透明かつ弾性的に拡張可能な膜と、
（特に、上記膜に接続されている）レンズ成形部材であって、このレンズ成形部材は、調整可能な曲率を有する上記膜の領域（特に、上記領域は円形の境界を有する）を画定するレンズ成形部材と
を備え、上記レンズは、
上記領域に隣接する（そして、特に、上記基部要素と上記領域との間に配置される）レンズ容積であって、透明な液体が中に配置されている上記レンズ容積と、
上記レンズの周辺領域に配置される液溜め容積であって、透明な液体が中に配置されている液溜め容積と、
少なくとも１つの電気浸透ポンプであって、上記膜の上記領域の曲率が変化し、これに伴い上記レンズの焦点距離が変化するように、上記液溜め容積から上記レンズ容積へ、又は上記レンズ容積から上記液溜め容積へ透明な液体を移動させるように構成されている少なくとも１つの電気浸透ポンプと
をさらに備える。
【００１１】
特に、電気浸透ポンプを作動デバイスとして使用することは、いくつかの利点を有する。例えば、電気浸透ポンプは低電圧レベルで動作することができること、例えば、レンズを装用しているユーザ／人のまぶたによって引き起こされる可能性があるレンズの機械的変形に抵抗することができることなどである。さらには、電気浸透ポンプが使用されるということに起因して、レンズは何ら可動部を備える必要はなく、これによりレンズはコンパクトで堅牢になる。
【００１２】
特に、上記基部要素は、１つの部品として形成される。あるいは、基部要素は、互いに結合されたいくつかの別個の部品も備えてよい。
【００１３】
本発明に係るコンタクトレンズの一実施形態によれば、上記基部要素は、基部要素の裏面側が眼と接触するように、人又はユーザの眼の表面上に直接設置されるように構成されている。従って、入射光は、最初に上記膜を通過し（すなわち、曲率が調整可能な領域を通過し）、次にレンズ容積を通過し、最後に基部要素を通過して、その後にコンタクトレンズが置かれている眼に入る。
【００１４】
別の実施形態では、（上記膜の前面側が膜の裏面側から離れる方向を向いて）上記膜の前面側がレンズを使用している人／ユーザの眼を向くことも可能である。この場合、入射光は、最初に基部要素を通過し、次にレンズ容積を通過し、最後に膜を通過し（すなわち、曲率が調整可能な領域を通過し）、その後にコンタクトレンズの前に存在する眼に入る。
【００１５】
本発明の一実施形態では、上記レンズ成形部材は、上記膜又は上記基部要素と一体的に形成されてもよく、膜の裏面側又は基部要素の前面側から突出してもよい。
【００１６】
さらに、本発明の一実施形態では、上記膜の上記領域は、膜を通過する光を、膜の上記領域のその時点の曲率に応じて偏向させる上記領域を通して光を通過させるように構成されている。特に、上記領域は、本発明に係るレンズ（コンタクトレンズ）のクリアアパーチャに相当する。
【００１７】
さらに、本発明の一実施形態では、上記基部要素はベースレンズを形成してもよい。さらには、本発明の一実施形態では、基部要素は、上記膜よりも剛直である。同様に、上記レンズ成形部材は、レンズの（すなわち、上記調整可能な曲率を有する領域の）形状を画定することができるように、膜よりも剛直であることが好ましい。
【００１８】
さらには、本発明に係るレンズの一実施形態によれば、上記基部要素の裏面側は、基部要素の裏面側が十分に人の眼に接触できるように、凹状の曲率を備える。
【００１９】
特に、上記基部要素は、以下の材料のうちの１つからなるか、又は以下の材料のうちの１つを備えることができる。
・ガラス、
・エラストマー（例えば、熱可塑性エラストマー、液晶エラストマー、ＰＤＭＳ等のシリコーン、アクリル、ウレタン）を含めたポリマー、
・熱可塑性樹脂（例えば、ＡＢＳ、ＰＡ、ＰＣ、ＰＭＭＡ、ＰＥＴ、ＰＥ、ＰＰ、ＰＳ、ＰＶＣ）及び熱硬化性樹脂を含むプラスチック、
・ゲル（例えば、シリコーンヒドロゲル、ポリマコン（ｐｏｌｙｍａｃｏｎ）又はＬｉｔｅｗａｙによる光学ゲルＯＧ−１００１）。
【００２０】
特に、上記透明かつ弾性変形可能な膜は、以下の材料のうちの１つからなるか、又は以下の材料のうちの１つを備えることができる。
・ガラス、
・エラストマー（例えば、ＴＰＥ、ＬＣＥ、ＰＤＭＳ等のシリコーン、アクリル、ウレタン）を含めたポリマー、
・熱可塑性樹脂（例えば、ＡＢＳ、ＰＡ、ＰＣ、ＰＭＭＡ、ＰＥＴ、ＰＥ、ＰＰ、ＰＳ、ＰＶＣ）及び熱硬化性樹脂を含めたプラスチック、
・ゲル（例えば、シリコーンヒドロゲル、ポリマコン又はＬｉｔｅｗａｙによる光学ゲルＯＧ−１００１）。
【００２１】
さらに、本発明に係るレンズの一実施形態によれば、上記少なくとも１つの電気浸透ポンプは、膜アセンブリ（膜組立体）を備え、この膜アセンブリは、多孔質膜、第１電極、及び第２電極を備え、この多孔質膜は上記電極間に配置され、及び／又は上記電極は上記多孔質膜に接続されている。特に、第１電極及び第２電極は多孔質性でもある。
【００２２】
特に、一実施形態によれば、上記多孔質膜は、第１表面及び第２表面を備え、これらの２つの表面は、互いに離れる方向を向く。さらに、一実施形態によれば、この第１電極は、その第１電極が第１表面全体を覆うように、上記膜の第１表面に接合されている。さらに、一実施形態によれば、上記第２電極は、その第２電極が第２表面全体を覆うように、上記膜の第２表面に接合されている。特に、第１表面と第１電極との間の隙間（例えば、接着剤による）及び／又は第２電極と第２表面との間の隙間（例えば、接着剤による）は、厚さが１００μｍ未満である。
【００２３】
さらに、本発明に係るレンズの一実施形態によれば、上記膜アセンブリは、上記液溜め容積の第１領域をその液溜め容積の第２領域から隔てる。
【００２４】
特に、一実施形態によれば、上記膜アセンブリは、上記液溜め容積の第１領域からその液溜め容積の第２領域への液体のあらゆる輸送が、その膜アセンブリを通してのみ可能であるように、構築されている。特に、膜アセンブリ自体並びに上記レンズの基部要素への及び／又は透明な膜への結合領域は、液体が制御されない状態で通過することができる開口部又は欠陥をまったく備えない。
【００２５】
一実施形態によれば、上記液溜め容積の上記領域は、重ねて（互いの上に）配置され、上記第１（例えば、上方）領域は、上記透明かつ弾性変形可能な膜（又は弾性変形可能な壁、下記参照）と上記膜アセンブリとの間に配置されており、特に、上記第２（例えば、下方）領域は、膜アセンブリと上記基部要素の前面（又は裏面）側との間に配置されている。あるいは、上記第２（例えば、上方）領域は、上記透明かつ弾性変形可能な膜（又は弾性変形可能な壁、下記参照）と上記膜アセンブリとの間の間に配置されており、特に、上記第１（例えば、下方）領域は、膜アセンブリと基部要素の前面（又は裏面）側との間に配置されている。
【００２６】
さらには、上記液溜め容積の第１領域及び第２領域は、上記基部要素の前面側に沿って並んで配置されることも可能である（下記も参照）。
【００２７】
さらに、本発明に係るレンズの一実施形態によれば、上記レンズ容積並びに上記液溜め容積の上記第１領域及び第２領域には、上記透明な液体が充填されており、特に、上記多孔質膜又は膜アセンブリは、上記液溜め容積の第２領域を介してレンズ容積と流入接続（ｆｌｏｗ  ｃｏｎｎｅｃｔｉｏｎ）されており、液溜め容積からレンズ容積へと上記液体を移動させるために、上記少なくとも１つの電気浸透ポンプは、液溜め容積の第１領域から液溜め容積の第２領域へと液体を圧送するように構成されている。さらに、一実施形態によれば、レンズ容積から液溜め容積へと上記液体を移動させるために、少なくとも１つの電気浸透ポンプは、液溜め容積の第２領域から液溜め容積の第１領域へと液体を圧送するように構成されている。
【００２８】
さらに、本発明に係るレンズの代替の実施形態によれば、上記レンズは、上記液溜め容積を上記ポンプ容積から隔てるアクチュエータ膜を備え、上記膜アセンブリは、ポンプ容積を第１領域及び第２領域へと隔て、ポンプ容積の第２領域は、膜アセンブリ（又は多孔質膜）とアクチュエータ膜との間に配置されている。
【００２９】
さらに、一実施形態によれば、上記ポンプ容積の上記領域は、重ねて配置されることができ、上記第１（例えば、上方）領域は、上記透明かつ弾性変形可能な膜（又は弾性変形可能な壁、下記参照）と上記膜アセンブリ（又は多孔質膜）との間に配置されており、特に、ポンプ容積の上記第２（例えば、下方）領域は、膜アセンブリ（又は多孔質膜）と上記液溜め容積との間に配置されており、液溜め容積は、上記アクチュエータ膜と上記基部要素の前面（又は裏面）側との間に配置されている。あるいは、ポンプ容積の第２（例えば、上方）領域は、上記透明かつ弾性変形可能な膜（又は弾性変形可能な壁、下記参照）と上記膜アセンブリ（又は多孔質膜）との間の間に配置されており、特に、ポンプ容積の上記第１（例えば、下方）領域は、膜アセンブリ（又は多孔質膜）と基部要素の前面（又は裏面）側との間に配置されている。
【００３０】
あるいは、上記ポンプ容積の第１領域及び第２領域は、基部要素の前面側に沿って並んで配置されることも可能である。
【００３１】
さらに、本発明に係るレンズの一実施形態によれば、上記レンズ容積及び上記液溜め容積には、上記透明な液体が充填されており、ポンプ容積の第１領域及び第２領域には、（例えば、透明な）圧送液体が充填されている。特に、２つの異なる液体、すなわちレンズ容積の中の透明な液体及び異なる圧送液体を使用することは、レンズの光学特性に関して最適とされるレンズ容積用の特定の液体を選ぶことを可能にし、一方で、上記圧送液体は、より良好な圧送性能（例えば、最適の粘度及び安定性）のために選ばれることができる。
【００３２】
特に、一実施形態では、上記圧送液体は、上記レンズ容積の中及び上記液溜め容積の中に配置される上記液体と同一であることができる。あるいは、圧送液体は、レンズ容積の中及び液溜め容積の中に配置される上記液体とは異なることもできる。この場合、圧送液体は、単に、上記電気浸透ポンプとのその相互作用に関して最適とされることが可能な作用流体であり、一方で上記透明な液体は、その光学特性に関して最適とされることが可能である。
【００３３】
さらに、本発明に係るレンズの一実施形態によれば、上記液溜め容積から上記レンズ容積へと上記液体を移動させるために、上記少なくとも１つの電気浸透ポンプは、上記アクチュエータ膜が隣接する液溜め容積の中に存在する液体をレンズ容積の中へと押し込むように圧送液体をアクチュエータ膜に押し付けるように、上記ポンプ容積の第１領域からポンプ容積の第２領域へと圧送液体を圧送するように構成されている（ここで、アクチュエータ膜は、圧送液体及び上記液体が混合できないように、圧送液体を上記液体から隔てるピストンとしての役割を果たす）。さらに、一実施形態では、レンズ容積から液溜め容積へと液体を移動させるために、上記少なくとも１つの電気浸透ポンプは、アクチュエータ膜がレンズ容積から隣接する液溜め容積へと液体を引き出すように、ポンプ容積の第２領域からポンプ容積の第１領域へと圧送液体を圧送するように構成されている。
【００３４】
さらに、本発明に係るレンズの一実施形態によれば、上記レンズは、内側環状構造及び外側環状構造を備え、上記膜アセンブリ（特に、上記多孔質膜及び上記電極）は、上記外側環状構造及び上記内側環状構造に接続されており、特に、上記膜アセンブリ及び上記環状構造は上記レンズのサブアセンブリを形成する。
【００３５】
特に、一実施形態によれば、上記膜アセンブリは、上記内側環状構造に接続されている内縁及び上記外側環状構造に接続されている外縁を備える。
【００３６】
さらに、本発明に係るレンズの一実施形態によれば、上記基部要素は、上記膜アセンブリを基部要素に対して整列させるためのステップ、特に基部要素の周囲に沿って延在する円周状のステップを備える。
【００３７】
さらに、本発明に係るレンズの一実施形態によれば、上記円周状のステップは、上記膜アセンブリに接続されている上記外側環状構造を上記基部要素に対して整列させるために構成されており、特に外側環状構造は、嵌合する態様で上記ステップ上に配置されている（又は上記ステップに接触する）。
【００３８】
さらに、本発明に係るレンズの一実施形態によれば、上記レンズ成形部材は、上記内側環状構造によって形成される。特に、レンズ成形部材は、内側環状構造の一部であることができ、及び／又は内側環状構造へと一体化されていることができる。
【００３９】
さらに、本発明に係るレンズの一実施形態によれば、上記レンズ成形部材（又は内側環状構造）は、金属、ケイ素、ポリイミド、ＰＥＴ等のプラスチック材料、又はＰＤＭＳ等のエラストマー等の材料から形成されることができ、又はそれらの材料を含むことができる。
【００４０】
さらに、本発明に係るレンズの一実施形態によれば、上記内側環状構造は、上記膜の上記領域が、例えば内側環状構造（又はレンズ成形部材）の円形の内縁によって画定されているように、上記基部要素の前面側に及び上記膜の裏面側に結合されている。
【００４１】
さらに、本発明に係るレンズの一実施形態によれば、上記外側環状構造及び／又は内側環状構造は、それぞれ、特に液体が上記膜アセンブリの周りを進むことを防止するように構成されている封止部材を形成し、この外側環状構造は、上記基部要素の前面側に結合されている。
【００４２】
さらに、本発明に係るレンズの一実施形態によれば、上記液溜め容積の又は上記ポンプ容積の第１領域は、例えば、上記領域を備える上記透明かつ弾性変形可能な膜の一部分であることができる弾性変形可能な壁により少なくとも部分的に輪郭画定されている。
【００４３】
さらに、本発明に係るレンズの一実施形態によれば、上記液溜め容積又はその液溜め容積の第２領域は、少なくとも１つのチャネルを介して、又は複数のチャネルを介して上記レンズ容積に接続されている。
【００４４】
さらに、本発明に係るレンズの一実施形態によれば、上記膜アセンブリは、湾曲（曲面）形状、円環形状のうちの１つを備えるか、又は球台若しくは円錐台を形成する。
【００４５】
さらに、本発明に係るレンズの一実施形態によれば、上記膜アセンブリは、膜アセンブリが第１側及び膜アセンブリのこの第１側から離れる方向を向く第２側を備え、膜アセンブリの第１側は、基部要素の前面側から離れる方向を向き、膜アセンブリの第２側は、基部要素の前面側に対向するように、上記基部要素の前面側に沿って延在する。ここで、膜アセンブリ（又は上記多孔質膜）は、例えば、球台として又は円錐台として形成されることができる。しかしながら、他の形状も可能である。
【００４６】
さらに、本発明に係るレンズの一実施形態によれば、上記膜アセンブリは、波形形状を備える。
【００４７】
さらに、本発明に係るレンズの一実施形態によれば、上記膜アセンブリは、上記レンズ容積の中心からレンズの周囲に向かう方向に波形形状を備える。ここで、特に、膜アセンブリは、レンズ容積の中心からレンズの周囲に向かう上記方向に、それぞれ交互する円周状の極大部及び極小部を備えることができる。
【００４８】
あるいは、上記膜アセンブリは、上記レンズの周方向に波形形状を含んでもよく、そのとき、上記極大部及び極小部は上記周方向に交互する。
【００４９】
さらに、本発明に係るレンズの一実施形態によれば、上記膜アセンブリは、湾曲部分（例えば、折り目（しわ）、特に円周状（周方向）の折り目）を備え、これにより、膜アセンブリは、第１区画、及び上記湾曲部分（又は折り目）を介して接続され互いに向かい合う第２区画を備え、膜アセンブリの上記区画の各々は、上記基部要素の前面側に沿って延在するようになっている。特に、膜アセンブリの第１区画は、基部要素と膜アセンブリの第２区画との間に延在する。
【００５０】
さらに、本発明に係るレンズの一実施形態によれば、上記膜アセンブリは複数の湾曲部分を備え、各湾曲部分は、膜アセンブリの２つの隣接する区画を互いに接続し、これにより、膜アセンブリは、上記基部要素の前面側の法線方向に、又は上記レンズの光軸に平行な方向に重ねて配置される複数の区画を備えるようになっている。
【００５１】
さらに、本発明に係るレンズの一実施形態によれば、上記少なくとも１つの電気浸透膜は、上記基部要素の前面側に向かって、又は基部要素の前面側から離れるように方向づけられた上記液体の流れを発生させるように構成されている。
【００５２】
さらに、本発明に係るレンズの一実施形態によれば、上記膜アセンブリは、基部要素の前面側の法線方向に沿って、又は上記レンズの光軸に平行な方向に沿って延在し、これにより、膜アセンブリは、レンズの光軸から離れる方向を向く第１側及び上記光軸を向く第２側を備え、膜アセンブリの第１側は、特に膜アセンブリの第２側から離れる方向を向くようになっている。
【００５３】
さらに、本発明に係るレンズの一実施形態によれば、上記膜アセンブリは、例えば、レンズの光軸の周りに上記レンズの周方向に延在するらせんを形成し、特に上記らせんの最外ターンの端区画とさらに内部に配置された上記らせんの隣接するターンとの間の隙間は、上記隙間を液体が通過することを防止するための封止材（シール）で封止される。
【００５４】
さらに、本発明に係るレンズの一実施形態によれば、上記膜アセンブリは、第１多孔質層及び第２多孔質層をさらに備え、上記多孔質膜及び上記２つの電極は、これら２つの多孔質層の間に配置されており、特に第１多孔質層は上記第１電極に接続されており、第２多孔質層は上記第２電極に接続されている。
【００５５】
さらに、本発明に係るレンズの一実施形態によれば、上記少なくとも１つの電気浸透ポンプの膜アセンブリの上記電極の各々は、少なくとも１つの細長い導体、特に２本の細長い導体を備える。特に、それぞれの導体は、それぞれの電極の縁に沿って配置されている。特に、上記細長い導体は、上記膜アセンブリにわたる電圧低下（従って印加される電界強度）が制限されることを確保することを意図されている。特に、それぞれの細長い導体は、金（Ａｕ）、銀（Ａｇ）、白金（Ｐｔ）、銅（Ｃｕ）等の高導電性材料、又は低面積抵抗を有する別の材料を含む。
【００５６】
さらに、特に、上記電気浸透ポンプの電極は、非常に長いらせんにわたる電圧低下を防止するために、非常に低いオーム抵抗を有することが好ましい。特に、そのような低オーム抵抗を確保するために上記金（又は他の材料）導体が加えられてもよい。
【００５７】
さらには、一実施形態によれば、上記少なくとも１つの電気浸透ポンプの膜アセンブリのそれぞれの電極は、閉ループ（閉回路）（この回路において、電流が誘導的に誘導されることができる）を形成しない。これにより、上記レンズへのワイヤレス電力伝送のために誘導を使用することが可能になる。
【００５８】
さらに、本発明に係るレンズの一実施形態によれば、上記膜アセンブリは、折り畳まれて折り畳み構造を形成し、これにより、上記第２多孔質層の２つの区画は互いに接触し並んで延在し、上記２つの区画は上記折り畳み構造の最内層を形成し、上記折り畳み構造は、上記らせんへと形成されるようになっている。さらには、一実施形態では、上記折り畳み構造の折り目は、上記らせんの最内ターンの端を形成する。
【００５９】
さらに、本発明に係るレンズの一実施形態によれば、上記らせん構造又は折り畳み構造は、複数のターンを備える。
【００６０】
さらに、本発明に係るレンズの一実施形態によれば、上記らせん構造又は折り畳み構造は、１０個を超えるターンを備える。
【００６１】
さらに、本発明に係るレンズの一実施形態によれば、上記折り畳み構造の最外ターンの端区画は、上記多孔質膜の内側部分及び外側部分を含み、内側部分及び外側部分は、上記第１多孔質層の上記２つの区画によって隔てられており、上記内側部分は、液密封止材を介して、上記らせんの隣接するターンの多孔質膜の隣接部分に接続されており、この隣接するターンは、（上記らせん／折り畳み構造の最外ターンに対して）さらに内部に配置されている。
【００６２】
これにより、上記多孔質膜の上記内側部分とその多孔質膜の上記隣接部分との間の流路を液体が通過することを防止することが可能になる。
【００６３】
さらに、本発明に係るレンズの一実施形態によれば、上記膜アセンブリは、上記液溜め容積に配置されている。
【００６４】
さらに、本発明に係るレンズの一実施形態によれば、上記膜アセンブリは、上記液溜め容積（４１）の［円周状の］外側領域（４１ａ）から［らせんを巻く様式で］上記レンズ成形部材（３０）に向かって延在する。
【００６５】
さらに、本発明に係るレンズの一実施形態によれば、上記レンズ成形部材は、上記液溜め容積を上記レンズ容積から隔てる。
【００６６】
さらに、本発明に係るレンズの一実施形態によれば、上記膜アセンブリは、
上記レンズ成形部材の下方に（例えば、上記基部要素とレンズ成形部材との間に）配置されている、
レンズ成形部材の一部を形成する、
レンズ成形部材を形成する
のうちの１つである。
【００６７】
さらに、本発明に係るレンズの一実施形態によれば、上記液溜め容積から上記レンズ容積へと上記液体を移動させるために、上記少なくとも１つの電気浸透ポンプは、上記膜アセンブリを通って上記レンズ容積へと液体を圧送するように構成されている。さらに、一実施形態では、レンズ容積から液溜め容積へと上記液体を移動させるために、上記少なくとも１つの電気浸透ポンプは、膜アセンブリを通ってレンズ容積から液溜め容積へと液体を圧送するように構成されている。
【００６８】
さらに、本発明に係るレンズの一実施形態によれば、上記膜アセンブリは、上記基部要素の前面側の１０％未満を覆う。特に、らせん設計の膜アセンブリの場合、上記膜アセンブリが基部要素の前面側の１０％未満を覆う場合には、膜アセンブリは見えない。
【００６９】
さらに、本発明に係るレンズの一実施形態によれば、上記少なくとも１つの電気浸透膜は、上記基部要素の前面側に沿って、及び特に、上記膜の上記第１側又は第２側に垂直に方向づけられた上記液体の流れを発生させるように構成されている。
【００７０】
さらに、本発明に係るレンズの一実施形態によれば、上記液溜め容積は、弾性変形可能な壁によって少なくとも部分的に輪郭画定されている。
【００７１】
特に、本発明に係るレンズの一実施形態によれば、上記弾性変形可能な壁は、上記透明かつ弾性的に拡張可能な膜の一部分によって形成されている。
【００７２】
さらに、本発明に係るレンズの一実施形態によれば、上記液溜め容積は、少なくとも１つのチャネルを介して、又は複数のチャネルを介して上記レンズ容積に接続されている。
【００７３】
さらに、一実施形態によれば、上記少なくとも１つのチャネル又は上記複数のチャネルは、
上記レンズ成形部材へと、及び／又は上記基部要素へと少なくとも部分的に形成されている、
上記レンズ成形部材へと形成されている、
レンズ成形部材の一部分と基部要素の一部分との間に配置されている
のうちの少なくとも１つである。
【００７４】
さらに、本発明に係るレンズの一実施形態によれば、上記少なくとも１つのチャネルは、０．０１ｍｍ２〜０．１５ｍｍ２の範囲の断面積を備え、特に、上記断面積は、０．０５ｍｍ２〜０．１ｍｍ２である。さらに、一実施形態によれば、少なくとも１つのチャネルは、０．２５ｍｍ〜０．７５ｍｍの範囲の（例えば、上記断面積に垂直の方向の）長さを備える。
【００７５】
さらに、本発明に係るレンズの一実施形態によれば、上記複数のチャネルは、上記レンズ成形部材（又は内側環状構造）に沿って、又は上記レンズ容積と上記液溜め容積との間の当該レンズの領域に沿って配置されており、特に、上記チャネルは、上記チャネルの上方に（例えば、上記膜とチャネルとの間に）配置されている上記レンズ成形部材の一部分の偏向を防止するように、等（距離）間隔で存在することができる（例えば、レンズ成形部材／内側環状構造に沿って均等に分散していることができる）。
【００７６】
特に、上記チャネル（複数可）は、所与の液体粘度に対して、十分な液体が所望の時に上記レンズへと移動できるような寸法である必要がある。特に、レンズに水が充填されている場合には、そのチャネルの断面積及びチャネルの長さは、上記の範囲によって与えられる。特に、本発明の実施例によれば、その断面積は０．１ｍｍ２であることができ、チャネルの長さは０．５ｍｍであることができる。
【００７７】
上記少なくとも１つのチャネルの上方の上記レンズ成形部材部分は支えられていないため、上記レンズ容積と上記レンズの外側との間に圧力差があれば、レンズ成形部材部分は偏向することができる。レンズ成形部材の成形部の偏向を防止又は低減するため、支持体構造を上記少なくとも１つのチャネルに追加することができる。特に、上記偏向は、チャネル幅を減少させること及びチャネルの量を増加させることにより低減することができ、流れに対する同じ抵抗を保つことができる。従って、５０μｍの膜が同じ材料のレンズ成形部材に結合されている場合、高さ５０μｍ〜１００μｍ及び幅０．５ｍｍ〜１ｍｍ、チャネル幅１ｍｍは大きすぎる可能性があり、像品質に悪影響を及ぼす可能性がある。その場合、良好な像品質を保つために、例えば、例えば２５０μｍの幅を有する４つのチャネルを有することが好ましい。さらに、チャネルの幅を低下させることは、製作プロセスの間の充填の問題を誘起する可能性がる。というのも、基部要素、レンズ成形部材、及び膜（例えば、シリコーン）の表面の濡れが低いことに起因して、上記液体（例えば、水）は、十分な圧力がなければ周囲（例えば、液溜め容積）から中心（例えば、レンズ容積）に向かって流れない可能性があるからである。この問題は、例えば、プラズマ活性化を使用して上記表面を処理して濡れ性を高めることにより、又は上記レンズにイソプロパノールのようなアルコールを最初に充填し、次いでこのイソプロパノールを上記液体（例えば、水）で置き換えることにより、克服することができる。
【００７８】
一実施形態によれば、上記レンズ成形部材は、上記透明かつ弾性的に拡張可能な膜に一体化されている。この場合、一実施形態によれば、上記少なくとも１つのチャネルの少なくとも一部分（又は上記複数のチャネルの一部分）は、上記レンズ成形部材に形成されることができ、又はレンズ成形部材の下方に配置されることができる。
【００７９】
さらには、一実施形態によれば、上記膜が一体化されているレンズ成形部材は、上記少なくとも１つのチャネル又は上記複数のチャネルの上記領域において上記透明かつ弾性的に拡張可能な膜を支持するように構成されている（これは、環を有する基部要素上に組み立てられている薄い、非構造化膜とは対照的に有益である）。
【００８０】
さらに、本発明に係るレンズの一実施形態によれば、上記レンズ成形部材は、（特に、上記膜の上記領域を画定するための円形の縁を備える）環状レンズ成形部材である。
【００８１】
さらに、本発明に係るレンズの一実施形態によれば、上記少なくとも１つの電気浸透ポンプは、上記電極に印加される電圧に応じて上記液溜め容積から上記レンズ容積へ、又は上記レンズ容積から上記液溜め容積へ液体を移動させるように、上記液体を圧送するように構成されている。
【００８２】
さらに、本発明に係るレンズの一実施形態によれば、当該レンズは、上記少なくとも１つの電気浸透ポンプの第１電極と第２電極との間に印加される上記電圧を提供するためのエネルギー源（例えば、バッテリ、特に蓄電池、又はコンデンサ）を備える。
【００８３】
さらに、本発明に係るレンズの一実施形態によれば、上記第１電気浸透ポンプは、エネルギー源（例えば、バッテリ）を第１電極に接続するための第１接触リード、及び上記エネルギー源を第２電極に接続するための第２接触リードを備え、特に、上記第１接触リードは、第１電気浸透ポンプの第１端に配置されており、特に、上記第２接触リードは、第１電気浸透ポンプの反対側の第２端に配置されている。他の構成も想定できる。
【００８４】
さらに、本発明に係るレンズの一実施形態によれば、上記エネルギー源は、上記液溜め容積の中、又は液溜め容積の外部に配置されることが可能である。
【００８５】
さらに、本発明に係るレンズの一実施形態によれば、当該レンズは、電気エネルギーを上記エネルギー源に提供するために構成されている充電デバイス（エネルギーハーベスタとも表される）を備える。
【００８６】
さらに、本発明に係るレンズの一実施形態によれば、上記充電デバイスは、上記エネルギー源（例えば、バッテリ又はコンデンサ等のエネルギー貯蔵体。上記参照）を充電するための誘導コイル（下記も参照）又はフォトダイオードを備えることができる。
【００８７】
さらに、本発明に係るレンズの一実施形態によれば、当該レンズは、レンズのユーザ（すなわち、レンズを装用している人）の状態及び／又は動きを検出するように構成されているセンサを備え、特に、上記動きはユーザのまぶたの動きであるか、又は特に、上記状態はユーザの完全に閉じたまぶた、又は部分的に閉じたまぶたであり、特に、上記まぶたはユーザの眼のまぶたであり、この眼の上に当該レンズは特に置かれることになり、上記センサは、上記状態及び／又は動きを示す対応する制御信号を発生するように構成されている。
【００８８】
さらには、一実施形態によれば、上記センサは、当該レンズを装用又は使用している人が見ている物体との距離を検出するように構成されているセンサであることができる。特に、このセンサは飛行時間型センサであることができる。
【００８９】
さらに、本発明に係るレンズの一実施形態によれば、当該レンズは、上記電圧を制御するように構成されている処理装置を備える。
【００９０】
さらに、本発明に係るレンズの一実施形態によれば、上記処理装置は、上記制御信号を使用して上記電圧を制御するように構成されている。特に、圧送速度（圧送される液体の流量）は電圧の上昇とともに上昇し、これは、焦点屈折力の速度及び制御を容易にするために使用することができる。
【００９１】
さらに、特に、上記エネルギー源、充電デバイス、処理装置、センサ又は任意の他の電子部品は、上記少なくとも１つの電気浸透膜の多孔質膜の所定の領域に載置されることが可能である。多孔質膜は、（上記基部要素及びレンズ膜を製造するために使用されるより柔軟で軟質の材料と比べて）剛性のコンポーネントを載置するための機械的により安定な基材を提供する。多孔質膜のこのような使用の追加的な利点は、剛性の、不浸透性の、回路基板材料が当該レンズに組み込まれる必要がないため、当該コンタクトレンズの酸素透過性が最大化されることである。
【００９２】
特に、上記少なくとも１つの電気浸透ポンプの電極への相互接続のインピーダンス及び電極／液体界面のインピーダンスは、上記多孔質膜にわたる電圧低下を最大にし、従って上記少なくとも１つの電気浸透ポンプの圧送効率を最大にするために、できるだけ低いことが好ましい。さらに、特に、電極材料は、望まれない加水分解及び他の副反応が最小になるように、選ばれることが好ましい。特に、この電極材料及び動作電圧レベルの組み合わせは、（レンズ又は液溜め容積の中での気泡の形成を最少にするために）水の分解が回避されるか又は最小になるように、及び特に、他の電気化学的副反応も最少になるように、選ばれることが好ましい。
【００９３】
泡形成は望まれない様式でレンズの焦点屈折力を変化させ、電極表面を減少させることができ、適正な圧送に対して悪影響を及ぼす可能性があるため、泡形成は望まれない。しかしながら、泡形成は、ある程度までは許容することができる。というのも、当該レンズの材料は、特に、気体透過性であり、泡を経時的に逃がして、レンズの焦点距離の高速調整のための短時間にわたるより高い動作電圧を許容するからである。
【００９４】
さらに、特に、上記少なくとも１つの電気浸透ポンプは、上記膜アセンブリの電極に印加される上記電圧の極性を切り替えるときに、逆方向に圧送している。好ましくは、この電圧は、両方向のポンプ速度が同様であるように選ばれ、焦点屈折力の所望の変化は、１秒未満、好ましくは０．４秒未満で到達することができる。
【００９５】
特に、一実施形態では、上記処理装置は、当該レンズの所望の焦点距離に到達するまで一実施形態では好ましくは１．２Ｖ以下である電圧が、１秒未満の間、電極に印加されるように、上記エネルギー源を制御するように構成されている。より高速の調整のためにより短時間のより高い電圧が可能である。
【００９６】
さらに、本発明に係るレンズの一実施形態によれば、上記処理装置は、所望の焦点距離に対応する上記レンズ容積の中の上記液体の圧力を維持する上記膜アセンブリの上記電極に振幅及びレート（ｒａｔｅ）の電圧バーストを印加することを上記エネルギー源にさせる（促す）ことにより、所望の焦点距離を保持するように構成されている。
【００９７】
さらに、本発明に係るレンズの一実施形態によれば、上記少なくとも１つの電気浸透ポンプは、レンズ容積の中及び液溜め容積の中の上記液体の圧力が等しい静止状態（電極に電圧が印加されていない）を備える。
【００９８】
さらに、本発明に係るレンズの一実施形態によれば、当該レンズは、上記レンズ容積から上記液溜め容積への液体の逆流を低減又はブロックするように構成されている少なくとも１つの受動バルブを備える。この少なくとも１つの受動バルブは、上記少なくとも１つのチャネルを通る上記逆流を低減又はブロックするように構成されていることができる（複数のチャネルが使用される場合には、いくつかのそのような受動バルブを用いることができる）。
【００９９】
さらに、本発明に係るレンズの一実施形態によれば、当該レンズは、当該レンズの焦点距離（又は焦点屈折力）を短くする（減少させる）ために液体が上記レンズ容積から上記液溜め容積へと逆流することを可能にするように、又はレンズの焦点距離を増加させる（長くする）ために液体が液溜めからレンズ容積へと流れることを可能にするように開かれるように構成されている少なくとも１つの能動バルブを備える。この少なくとも１つの能動バルブは、液体が上記少なくとも１つのチャネルを通ってレンズ容積から液溜め容積へと（又は液溜め容積からレンズ容積へと）逆流することを可能にするように構成されていることができる（複数のチャネルが使用される場合には、いくつかのそのような能動バルブを用いることができる）。
【０１００】
このようにして、所望の焦点屈折力を保持するときに、消費電力を大きく減少させることができる。特に、本発明での目標は、調整するときに電力を消費するだけであり、当該レンズの調整された状態を保持するときにはほとんど電力を消費しないことである。
【０１０１】
特に、一実施形態によれば、当該レンズは、上記液溜め容積と上記レンズ容積との間の流入接続を遮断するための少なくとも１つの能動バルブを閉じるように構成されており、能動バルブが開いているときに液溜め容積からレンズ容積への上記液体の流量を増加させるために、当該レンズは、能動バルブが閉じているときに液溜め容積を加圧するように構成されている。
【０１０２】
こうして、当該レンズが調整される必要があるとき、上記バルブは開かれて、液溜めチャンバーの中の加圧液体は、光学ゾーンへと流入する（潜在的に、電気浸透ポンプ自体によってもたらされるよりも高い流量で）。
【０１０３】
同じことは、反対の方向にも作用することになり、バルブを再び閉じた後、上記液溜め容積の第２（例えば、底）部分からの液体は、液溜め容積の第１部分へと圧送されることができ、このようにして過少圧力が作り出され、この過少圧力は、調整解除されたときに、再び上記レンズ容積から液溜め容積へと戻る液体流れの流量を増加させることになる。
【０１０４】
それゆえ、一実施形態によれば、当該レンズは、上記少なくとも１つの能動バルブが開いているときに上記レンズ容積から上記液溜め容積への上記液体の流量を増加させるために、少なくとも１つの能動バルブが閉じているときに、上記液溜め容積の第２領域から液溜め容積の第１領域へと液体を圧送し、液溜めバルブの第２部分において過少圧力を作り出すように構成されている。
【０１０５】
さらに、本発明に係るレンズの一実施形態によれば、以下のコンポーネントのうちの少なくとも１つが上記多孔質膜に載置されている：上記センサ、上記バッテリ、上記処理装置、上記充電デバイス。
【０１０６】
さらに、本発明に係るレンズの一実施形態によれば、上記多孔質膜上に載置された上記コンポーネントは導電性のトラック（導線）により相互に接続されている。
【０１０７】
さらに、本発明に係るレンズの一実施形態によれば、上記少なくとも１つの電気浸透ポンプの上記導電性のトラック及び／又は上記電極は、上記多孔質膜上にプリントされている。
【０１０８】
さらに、本発明に係るレンズの一実施形態によれば、当該レンズは、上記レンズ容積の中の液体の圧力を（例えば、当該レンズによって備えられる圧力センサを使用して）測定するように構成されている。
【０１０９】
さらに、本発明に係るレンズの一実施形態によれば、当該レンズ（特に、上記処理装置）は、上記レンズ容積の中の液体の測定された圧力から、レンズの焦点距離（又は焦点屈折力）を決定するように構成されている。これは、所定の圧力は当該レンズの透明かつ弾性変形可能な膜の上記領域の所定の偏向（振れ）／曲率に関連しており、この所定の偏向／曲率がひいてはレンズの焦点屈折力（又は焦点距離）を規定するため、可能である。
【０１１０】
さらに、本発明に係るレンズの一実施形態によれば、上記多孔質膜は、上記多孔質膜を液体が通過するためのナノチャネルを備えるナノ多孔質膜であることができ、上記レンズ容積の中の上記圧力を測定するために、当該レンズ（特に、上記処理装置）は、膜アセンブリの電極を使用して上記多孔質性の（特に、ナノポーラスな）膜にわたる流動電位を測定するように構成されており（この流動電位は、多孔質膜の細孔、特に、ナノチャネルにわたる圧力勾配によって生成される）、当該レンズは、レンズの焦点距離を所望の値に調整するために、上記電圧を上記電極に印加するように構成されており（特に、上記処理装置は、上記エネルギー源に、上記電圧を上記電極に印加させるように構成されている）、当該レンズ（例えば、処理装置）は、予め定められた時間間隔（例えば、１０ｍｓの範囲）で電極から電圧を反復的に取り除き、液体が液溜め容積からレンズ容積へと逆流することを可能にするように構成されており、当該レンズ（特に、処理装置）は、それぞれの時間間隔内での流動電位を測定するように構成されており、当該レンズ（特に、処理装置）は、測定された流動電位を所望の焦点距離に対応する流動電位の期待値と比較するように構成されており、当該レンズ（特に、処理装置）は、それぞれの測定された流動電位が上記流動電位の期待値に近づくように、上記電圧を調整するように構成されている。
【０１１１】
さらに、本発明に係るレンズの一実施形態によれば、上記処理装置（コントローラ）は、マイクロチップに実装されることができる（このマイクロチップは、上記多孔質膜に載置されてもよい。上記を参照）。
【０１１２】
さらに、本発明の一実施形態によれば、上記膜は、５０μｍよりも小さい、特に３０μｍよりも小さい厚さを備え、特に、厚さは２０μｍ未満である。
【０１１３】
さらに、本発明の一実施形態によれば、上記多孔質膜は、特に、上記液体が基材／多孔質膜の面に垂直に基材を通過することができるように、トラックがエッチングされた円筒形の細孔を有する基材、ナノポーラスな基材のうちの１つである。
【０１１４】
さらに、本発明の一実施形態によれば、上記多孔質膜は、以下の材料のうちの１つから作製されているか、又は以下の材料のうちの１つを含む：ポリマー又はエラストマー、ポリカーボネート、ポリエチレンテレフタレート（ＰＥＴ）、デュポン（ＤｕＰｏｎｔ）のＮａｆｉｏｎ（登録商標）（テトラフルオロエチレン及びスルホン酸基を含有するペルフルオロ化単量体の共重合体、例えば、ＣＡＳ番号６６７９６−３０−３）、ＰＤＭＳ。
【０１１５】
さらに、本発明の一実施形態によれば、上記少なくとも１つの電気浸透ポンプの多孔質膜は、１０ｍＶ〜１００ｍＶの絶対値を有するゼータ電位を保有する細孔壁を備え、並びに／又はスルホン酸基（カチオン交換）又はアミン基（アニオン交換）を備え、並びに／又は疎水性ポリマーの場合のＳＤＳ（ドデシル硫酸ナトリウム）等のイオン性洗浄剤、及び／若しくはＰＳＳ（ポリスチレンスルホン酸塩）等の高分子電解質、及び／若しくはアニオン性又はカチオン性の分子を含む。好ましくは、ゼータ電位は、少なくとも１つの電気浸透ポンプの効率を高めるために、できるだけ高い。
【０１１６】
さらに、本発明の一実施形態によれば、上記多孔質膜は、特に、例えばプリンティング技法又は光開始グラフト化技法又はディップコーティング若しくは噴霧の間の自己組織化（吸着）等の任意の利用可能な技法により、ＡＥ（アニオン交換）又はＣＥ（カチオン交換）材料でコーティング又は修飾されている内面を有する細孔を備える。
【０１１７】
さらに、本発明の一実施形態によれば、上記少なくとも１つの電気浸透ポンプの膜アセンブリの多孔質膜は、１ｎｍ〜３０００ｎｍ、特に１ｎｍ〜１０００ｎｍ、好ましくは１００ｎｍ〜４００ｎｍの細孔径を有する細孔を備える。
【０１１８】
さらに、本発明の一実施形態によれば、上記細孔径（又は平均細孔径）は、米国材料試験協会規格（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ  Ｓｔａｎｄａｒｄ：ＡＳＭＴ）方法Ｆ３１６に記載されているバブルポイント試験によって測定される細孔径である。細孔径を測定するための他の方法も採用してよい。
【０１１９】
さらに、本発明の一実施形態によれば、細孔密度は、電気浸透流動全体を最大化するために、好ましくは、１０μｍ２あたり１細孔超である。
【０１２０】
さらに、本発明の一実施形態によれば、上記少なくとも１つの電気浸透ポンプの膜アセンブリは、２００μｍよりも小さい、好ましくは１００μｍよりも小さい、最も好ましくは５０μｍよりも小さい厚さを備える。特に、この厚さにより、５００μｍ未満、好ましくは４００μｍ未満の全体厚さを有するコンタクトレンズのアセンブリ（組立体）が可能になる。
【０１２１】
さらに、本発明の一実施形態によれば、上記少なくとも１つの電気浸透ポンプの膜アセンブリ２つの電極の各々は、４０μｍよりも小さい、好ましくは１０μｍよりも小さい厚さを備える。特に、この厚さは、２．５μｍ未満であることができる。
【０１２２】
さらに、本発明の一実施形態によれば、（例えば、上記２つの多孔質層を有する、又は２つの多孔質層を有さない）上記膜アセンブリは、１００μｍよりも小さく、特に５０μｍよりも小さい。特に、レンズの柔軟性及び組み立ての際のコンプライアンスをもたらすために、上記厚さは、２５μｍであることができる。
【０１２３】
さらに、本発明の一実施形態によれば、上記膜アセンブリの電極は、以下のうちの１つである：多孔質膜の細孔を塞ぐことも変化させることもなく、例えば、金属スパッタリングによって多孔質性の（例えば、ナノポーラスな）膜の上に堆積（蒸着）されている；特に、多孔質膜の細孔を閉塞することなく、接着剤を用いて多孔質性の（例えば、ナノポーラスな）膜に積層及び／又は固定されている。さらには、一実施形態によれば、それぞれの電極は、導電性の、多孔質構造自体、例えば金属メッシュ又は穿孔した薄いシート、又は多孔性を有するか若しくは細孔が作成されるように処理されたポリマー材料の導電性複合材料によって形成されてもよい。
【０１２４】
さらに、本発明の一実施形態によれば、上記膜アセンブリのそれぞれの電極は、以下の材料のうちの１つから形成されているか、又は以下の材料のうちの１つを備える：導電性高分子、例えば、ＰＰｙ（ポリピロール）又はＰＥＤＯＴ；ＭＷＣＮＴ；銀ナノチューブ；グラフェン；活性炭コーティング；スパッタ貴金属膜（例えば、Ａｕ、Ｐｔ、Ａｇ、又はＩｒ）。さらには、金属メッシュ、穿孔した又は多孔質性の金属シート、導電性の複合材料、例えば導電性の接着剤又はのり、又はハイブリッド材料、例えば結合剤材料中のＰＥＤＯＴ：ＰＳＳ又はグラフェン／銀ナノワイヤは、それぞれの電極のための材料として使用することができる。
【０１２５】
これらの材料の各々は、多孔質性の電気浸透膜材料に直接塗工することができるし、又はあるいは、電気浸透性の（多孔質性の）膜の細孔を詰まらせるリスクを下げるために、それらは、多孔質性の不活性な基材材料又は大きいメッシュサイズを有する織物の上に堆積することができ、得られた電極シートは、電気浸透性の（多孔質性の）膜に積層又は接着することができる。
【０１２６】
さらに、本発明の一実施形態によれば、それぞれの電極は、以下の電気特性のうちの少なくとも１つ、いくつか又はすべてを備えてもよい；特に、１ｋＯｈｍよりも小さい、好ましくは１００Ｏｈｍよりも小さい、最も好ましくは５０Ｏｈｍよりも小さい低面積抵抗、及び／又は特に、１００ｋＯｈｍよりも小さい、好ましくは１０ｋＯｈｍよりも小さい、最も好ましくは１ｋＯｈｍよりも小さい、１ｋＨｚにおける低インピーダンス。
【０１２７】
さらに、一実施形態によれば、上記膜アセンブリのそれぞれの電極は、容量結合型電極又は擬似容量結合型電極（ｐｓｅｕｄｏ−ｃａｐａｃｉｔｉｖｅ  ｅｌｅｃｔｒｏｄｅ）を形成してもよい。
【０１２８】
さらに、本発明の一実施形態によれば、上記液体は、その液体の所望の流速のためにより小さい圧力勾配しか必要としないために、好ましくは１００ｍＰａｓ未満、最も好ましくは５ｍＰａｓ（例えば、水についてのような）未満である粘度を備える。特に、この液体は、所望の時間間隔内でレンズの調整を可能にするのに十分高速で圧送されることが可能である。特に、この液体は、上記少なくとも１つのチャネルを通って（及び上記多孔質膜を通って）迅速に流れる必要がある。そのため、低粘度を有する液体、例えば水が好ましい。好ましくは、一実施形態によれば、上記レンズ容積の中及び液溜め容積の中に存在する液体は、水を主要成分として含む。
【０１２９】
さらに、本発明の一実施形態によれば、電場の強度を高めるために、上記液体は、１０〜１００、好ましくは５０〜１００の誘電率を有し、例えば水である。
【０１３０】
さらに、本発明の一実施形態によれば、ゼータ電位の振幅を下げて上記少なくとも１つの電気浸透ポンプの効率を低下させないために、上記液体のｐＨ値は、５〜９、好ましくは６〜８である必要がある。
【０１３１】
さらに、特に、流体レンズには、通常は、水を主（又は単独）成分として有する液体が充填されていない。というのも、水は、当該レンズの上記透明かつ弾性変形可能な膜を通って揮発するからである（例えば、エラストマーは、気相の水分子に対しては良好なバリアではない）。
【０１３２】
しかしながら、一実施形態によれば、上記液体は、水を主（すなわち主要）成分として含み、これにより、当該レンズ（特に、コンタクトレンズ）の焦点距離又は焦点屈折力を調整するために電気浸透ポンプを使用することが可能になる。
【０１３３】
水がレンズ又は液溜め容積から逃げることを防止し、水の体積をレンズ（例えば、コンタクトレンズ）の中で一定に維持するために、レンズの内部及び／又は外部は、コーティング（被覆）されていてもよい。水が逃げるのを防止するためにコーティングを施すことについての１つの具体例は、レンズの内部又は外側のいずれかに、（水に対するバリア特性を提供する）以下の材料のうちの１つを施すことである：パリレンコーティング、パリレン層及び透明な金属酸化物層を備える多層コーティング、液体ガラスコーティング。水をレンズの中に維持するための助けになるコーティング系の一例は、例えば、ヒドロゲル材料に基づく市販のソフトコンタクトレンズについて使用される系と同様である。この実施形態では、ヒドロゲルコーティングがレンズの外部表面に施される。ヒドロゲル材料は高水分含量を有し、この高い水分含量は、レンズ内部の水が外へ動くための浸透力を低下させる。さらには、レンズの外側のヒドロゲルコーティング層は、眼球の表面上の涙液と接触し交換している。レンズの周りのこの涙膜は、所定の塩濃度を有する。結果としてレンズからの水の逃散を生じる浸透効果を回避するために、上記レンズ容積及び液溜め容積の中の水（液体）について同じ塩濃度を使用することができる。
【０１３４】
しかしながら、レンズの水（液体）の中の塩の生理的濃度においては、デバイ長が顕著に減少するため、電気浸透ポンプの効率は大きく低下する。
【０１３５】
それゆえ、好ましい実施形態によれば、当該レンズの液体は、脱イオン（Ｄｌ）水又は低塩濃度（例えば、３ｍＭ以下）を有する水溶液を含む。さらには、この液体は、特に、涙液との等張性を確保して浸透効果を回避するために、４重量％〜６重量％、最も好ましくは５重量％の濃度を有するマンニトールを含む。マンニトールは、プロトンを放出することにより水溶液を酸性化する傾向がある。低ｐＨは、電気浸透ポンプの効率を低下させる可能性がある。特に、マンニトール（Ｃ６Ｈ１４Ｏ６）は、ＣＡＳ番号６９−６５−８を有する。
【０１３６】
従って、さらには、一実施形態によれば、上記液体は、特に、ｐＨを６〜８の値に保ち、特に、レンズの性能を変化させることになるあらゆるｐＨ変動を回避するために、緩衝液を含んでもよい。当該レンズには水及びマンニトールが充填されており、そして長期間保存される可能性もあるため、一実施形態によれば当該レンズは滅菌され、及び／又は一実施形態によれば、抗菌剤及び／又は殺真菌剤をさらに含んでもよい。
【０１３７】
さらに、本発明の一実施形態によれば、上記少なくとも１つの電気浸透ポンプの膜アセンブリの電極は、透明である（例えば、それぞれの電極は、メッシュ電極であってもよく、又はナノワイヤ、ナノチューブ、グラフェン、ＩＴＯから形成されることができ、若しくはナノワイヤ、ナノチューブ、グラフェン、ＩＴＯを含むことができる）。さらに、一実施形態によれば、上記多孔質膜の屈折率は、当該レンズのレンズ容積及び液溜め容積の中に存在する液体の屈折率に一致する。
【０１３８】
さらに、一実施形態によれば、当該レンズは、（例えば、不透明な）膜アセンブリを被覆するための被覆要素を備え、それにより、特に、その被覆要素の背後にある例えば不透明な膜アセンブリを隠す。
【０１３９】
特に、一実施形態では、上記被覆要素は、特に、当該レンズ（例えば、コンタクトレンズ）が置かれているユーザの眼の色に一致する着色された表面を備えてもよい。特に、この着色された表面は、（特に、ユーザの、すなわちそのコンタクトレンズを装用している人の）ヒトの虹彩の外観を模倣するように構成されている。特に、この着色された表面は、（例えば、上記ユーザの）ヒトの虹彩の写真によって形成されてもよく、その写真は、上記被覆要素に配置されている（例えば、印刷されている）。
【０１４０】
さらに、本発明の一実施形態によれば、当該レンズは、
人（ユーザ）の眼の表面に置かれるように構成されているコンタクトレンズ、
人（ユーザ）の眼の内部に置かれるように構成されている眼内レンズ
人（ユーザ）の眼の前に、特に、上記眼から間隔を空けて置かれるように構成されているレンズ
のうちの１つである。
【０１４１】
さらには、本発明の一実施形態によれば、当該レンズ（特に、上記充電デバイス）は、上記エネルギー源を充電するため、及び／又は（例えば、電磁誘導を使用して）無線様式でレンズに給電するためのコイルを備え、上記コイル以外のレンズの導体（特に、第１電極及び第２電極）は、閉ループを形成せず、及び／又は第１電極及び第２電極は、開いた円環形状を備える（又は開ループを形成する）。特に、第１電極及び第２電極は、各々、３６０°未満の（例えば、ほぼ３６０°の）開ループを形成することができ、電流が閉ループ）の中を流れないようにするように構成されている。（上記コイル以外に）閉ループの導体を使用しないことは、レンズを充電／給電するために使用される電磁場とレンズの電子機器との干渉を防止するのを助ける。
【０１４２】
本発明のさらに別の態様は、本発明に係る２つのレンズから構成される一対のコンタクトレンズに関し、そのレンズのうちの一方は、人の左の左眼の表面に置かれるように構成されており、他方のレンズは、人の右眼の表面に置かれるように構成されている。
【０１４３】
本発明のさらに別の態様は、本発明に係る２つのレンズを備える視力矯正用の眼鏡に関する。
【０１４４】
さらには、本発明のさらに別の態様は、電気浸透ポンプ用の膜アセンブリの製造方法であって、
上面及びこの上面から離れる方向を向く底面を有する多孔質膜を備える平膜アセンブリシートを準備する工程であって、電極層が上記上面に配置されており、電極層が上記底面に配置されている工程と、
上記平膜アセンブリシートの湾曲（曲面）部分を上記平膜アセンブリシートから分離し、対向する端を有する湾曲した膜アセンブリを得る工程と、
上記対向する端を液密接続により互いに結合して、上記膜アセンブリを円錐台形状へと形成する工程と
を備える方法に関する。
【０１４５】
さらには、当該方法の一実施形態によれば、上記円錐台形状の膜アセンブリは、球台へとさらに形成されることが可能である。
【０１４６】
これは、例えば、上記円錐台形状の膜アセンブリを所望の湾曲形状を有する成形工具の中に置き、その後、それを高温（例えば、６０〜２８０℃、特に、６０℃〜１３０℃）及び圧力（例えば、１ｂａｒ〜３ｂａｒ）に規定の時間（例えば、１秒〜１０分間、特に、０．５分〜１０分間）曝露することにより行うことができる。特に、この手順は、任意の熱可塑性材料又は熱変形可能な材料を用いて行うことができる。
【０１４７】
さらには、本発明に係る方法の一実施形態によれば、電極を形成するための電極材料及び／又は上記多孔質膜を形成するための材料は、それぞれの電気浸透ポンプの膜アセンブリが単一のプロセス工程で形成又は加工できるように、選択されることが好ましい。好ましくは、電気浸透ポンプの多孔質膜のために選択される材料に似た電極材料が選択される。
【０１４８】
コンタクトレンズに加えて、本発明は、調整可能な焦点距離を必要とする非常に様々な用途で使用することができ、この用途としては、以下が挙げられる：眼科機器、例えば眼位計（フォロプター）、レフラクトメータ（屈折計）、パキメータ（厚度計）、生体認証装置（ｂｉｏｍｅｔｒｉｅ）、視野計、レフラクトケラトメータ、屈折レンズ分析器、眼圧計、アノマロスコープ、諧調計、角膜内皮細胞顕微鏡（ｅｎｄｏｔｈｅｌｍｉｃｒｏｓｃｏｐｅ）、アノマロスコープ、バイノプトメータ（ｂｉｎｏｐｔｏｍｅｔｅｒ）、ＯＣＴ、ローダテスト（ｒｏｄａｔｅｓｔ）、検眼鏡、ＲＴＡ又は照明、マシンビジョン、レーザー加工、携帯電話カメラ、ライトショー、プリンタ、計測学、頭部装着型拡大鏡、医療機器、ロボットカメラ、動作追跡、顕微鏡、望遠鏡、内視鏡、双眼鏡、リサーチ、監視カメラ、自動車、プロジェクタ、視力矯正用眼鏡レンズ、距離計、バーコードリーダ、ウェブカメラ。
【０１４９】
以下の詳細な説明を考慮すると、本発明は、よりよく理解され、上に示されたもの以外の客体は明らかになるであろう。そのような説明は図面を参照する。
【図面の簡単な説明】
【０１５０】
【図１】図１は、間接圧送のためにアクチュエータ膜を使用する本発明に係るレンズの実施形態の概略断面図を示し、レンズの静止状態（Ａ）及び調整された状態（Ｂ）が示されている。
【図２】図２は、少なくとも１つの電気浸透ポンプによるレンズの液体の直接圧送を使用する本発明に係るレンズの実施形態の概略断面図を示し、レンズの静止状態（Ａ）及び調整された状態（Ｂ）が示されている。
【図３】図３は、本発明に係るレンズの実施形態の概略断面図を示し、膜アセンブリは内側環状構造及び外側環状構造に接続されている。
【図４】図４は、電気浸透ポンプの膜アセンブリの異なる形状及び配向の概略断面図を示す。
【図５】図５は、本発明に係るレンズの実施形態の概略断面図を示し、膜アセンブリは、レンズの基部要素の前面側に沿って延在する。
【図６】図６は、レンズの基部要素の前面側に沿って延在する折り畳まれた膜アセンブリを有する本発明に係るレンズの実施形態の概略断面図を示す。
【図７】図７は、蛇腹（ベローズ）形状の膜アセンブリを備える本発明に係るレンズの実施形態の概略断面図を示す。
【図８】図８は、基部要素の前面側に沿ってレンズ容積から外側へ向く方向の波形の膜アセンブリ（Ａ）、及びレンズの周方向に波形である膜アセンブリ（Ｂ）を有する本発明に係るレンズの実施形態の概略断面図を示す。
【図９】図９は、レンズの光軸に平行に延在する方向に沿って延在する膜アセンブリを有する本発明に係るレンズの実施形態の概略断面図を示す。
【図１０】図１０は、らせん形状を有する電気浸透ポンプの膜アセンブリを備える本発明に係るレンズの実施形態の概略断面図を示す。
【図１１】図１１は、らせん形状を有する電気浸透ポンプの膜アセンブリを備える本発明に係るレンズの実施形態の概略断面図を示し、このらせん形状の膜アセンブリは、レンズ成形部材をも形成する。
【図１２】図１２は、２つの電極の間に挟まれた多孔質膜を備える膜アセンブリの製造の概略断面図を示し、多孔質膜構造体は、スペーサとして作用する２つの多孔質層の間に挟まれている。
【図１３】図１３は、らせん（１ターンのみが示されている）を形成する折り畳み構造へと形成された膜アセンブリの概略平面図を示す。
【図１４】図１４は、図１３に示される折り畳み構造を使用するらせん形状の膜アセンブリのさらなる概略平面図を示す。
【図１５】図１５は、金（Ａｕ）を含む細長い導体を備える電気浸透ポンプの膜アセンブリの概略の側面図及び上面図を示す。
【図１６】図１６は、レンズの焦点距離を調整するための、少なくとも１つの電気浸透ポンプの電極に印加される電圧の制御の一例を示す。
【図１７】図１７は、レンズの調整された状態を保持するために受動バルブを使用してレンズの焦点距離を調整するために、少なくとも１つの電気浸透ポンプの電極に印加される電圧の制御の一例を示す。
【図１８】図１８は、多孔質膜にわたる流動電位／圧力勾配を測定することを使用してレンズの焦点距離を調整するために、少なくとも１つの電気浸透ポンプの電極に印加される電圧の制御の一例を示す。
【図１９】図１９は、多孔質膜に取り付けられた電極に接続されているエネルギー源の概略図を示す。
【図２０】図２０は、円錐台又は球台の形状を有する膜アセンブリの形成方法を示す。
【図２１】図２１は、レンズの無線充電／給電のためのコイルを備えるレンズの実施形態を示す。
【図２２】図２２は、図２１に示される実施形態の変形例を示す。
【発明を実施するための形態】
【０１５１】
図１は、本発明に係るレンズ１、ここではコンタクトレンズ１の形態の実施形態を示す。特に、レンズ１は、裏面側１２及び裏面側１２から離れる方向を向く前面側１１を有する透明な基部要素１０と、上記基部要素１０に接続されている透明かつ弾性的に拡張可能な膜２０と備え、上記膜２０は、基部要素１０の上記前面側１１を向く裏面側２２、及び上記膜２０に接続されているレンズ成形部材３０（例えば、環部材又は環構造）を備え、その結果、レンズ成形部材３０は膜２０の領域２３を画定し、この領域２３は調整可能な曲率を備える。さらに、レンズ１は、膜２０の上記領域２３に隣接するレンズ容積４１を備え、このレンズ容積４１は、レンズ成形部材３０によって、膜２０によって、及び基部要素１０によって輪郭形成される（又は取り囲まれる）ことができる。さらには、レンズ１は、レンズ１の境界又は周辺領域２４に配置される（例えば、円周状の）液溜め容積４２を備え、上記２つの容積４１、４２には、各々、透明な液体５０が充填されている。
【０１５２】
膜２０の上記領域２３の曲率を調整するために、レンズ１は、膜２０の上記領域２３の曲率（又は偏向）が変化してレンズの１の焦点距離が変化するように、液溜め容積４２からレンズ容積４１へ、又はレンズ容積４１から液溜め容積４２へと透明な液体５０を移動させるように構成されている電気浸透ポンプ７０をさらに備える。従って、レンズ容積４１を（例えば、領域２３、液体５０及び基部要素１０を介して）通過する光Ｌは、レンズ１の所定の焦点屈折力又は焦点距離に対応する上記領域２３の調整された曲率に従って可変の様式で影響を受けることが可能である。
【０１５３】
特に、電気浸透ポンプ７０は、例えば図１５及び図１９に示されるように、アセンブリ７０の第１（例えば、頂部）電極１７１と第２（例えば、底部）電極１７２との間に挟まれた多孔質膜１７３を備える膜アセンブリ７１を備える。特に、図１５に示されるように、少なくとも１つの電気浸透ポンプの膜アセンブリ７１の上記電極１７１、１７２の各々は、それぞれの電極１７１、１７２の縁に沿って延在することができる２つの対向する導体７ｃを備えることができる。特に、多孔質膜１７３／膜アセンブリ７１が円錐台又は球台の形状を備える場合（図１５の下部参照）、細長い導体７ｃは、それぞれの電極１７１、１７２の内縁及び外縁に沿って延在することができる。特に、これらの細長い導体７ｃは、膜アセンブリ７１にわたる電圧低下（従って、印加される電界強度）が限定されることを確実にすることを意図されている。
【０１５４】
さらには、レンズ１は、電気浸透ポンプ７０によって液体５０を圧送するように、上記電極１７１、１７２に印加される電圧を提供するためのエネルギー源１１０（例えば、バッテリ、特に、蓄電池、又はコンデンサ）を備える。
【０１５５】
特に、図１９に示されるように、上記電気浸透ポンプ７０は、バッテリ１１０を第１電極１７１ａに接続するための第１接触リード１７１、及び上記バッテリ１１０を第２電極１７２に接続するための第２接触リード１７２ａを備えることができ、特に、上記第１接触リード１７１ａは、第１電気浸透ポンプ７０の端に配置することができる。さらに、特に、上記第２接触リード１７２ａも、電気浸透ポンプ７０の端に配置することができる。
【０１５６】
特に、エネルギー源１１０は、液溜め容積４２の中に又は液溜め容積４２の外部に配置されることができ、特に、このエネルギー源は、多孔質膜１７３に装着されることができる。
【０１５７】
さらに、図１に示されるように、基部要素１０は、前面側１１に、液溜め容積４２及びレンズ容積４１を収容するための凹部を備えることができ、これらの容積は、特に、基部要素１０の前面側に結合されている膜２０によって特に覆われている。
【０１５８】
レンズ容積４１と液溜め容積４２との間で液体５０を移動させることは、対応して上記液体を圧送することによりレンズの１の焦点距離を調整することを可能にするが、この液体５０の移動のために、当該レンズは、液溜め容積４２をポンプ容積７０１から隔てるアクチュエータ膜２００を備え、電気浸透ポンプ７０の膜アセンブリ７１は、ポンプ容積７０１を第１領域７０２及び第２領域７０３へと隔て、ポンプ容積７０１の第２領域７０３は、膜アセンブリ７１とアクチュエータ膜２００との間に配置されている。
【０１５９】
図１に示されるように、ポンプ容積７０１の上記領域７０２、７０３は、重ねて配置されうる。
【０１６０】
さらには、レンズ容積４１及び液溜め容積４２には、上記透明な液体５０が充填されており、ポンプ容積７０１の第１領域７０２及び第２領域７０３には圧送液体５０ａが充填されている（この圧送液体は、液体５０と同一であるか又は液体５０とは異なることができる）。
【０１６１】
ここで上記領域２３の曲率／偏向、これに伴いレンズ１の焦点屈折力を高めるように液溜め容積４２からレンズ容積４１へ液体５０を移動させるために、電気浸透ポンプ７０は、多孔質膜１７３を通ってポンプ容積７０１の第１領域７０２からポンプ容積７０１の第２領域７０３へと圧送液体５０ａを圧送するように構成されており、このため、圧送液体５０ａをアクチュエータ膜２００に対して押し付け、その結果、今度はアクチュエータ膜２００が液溜め容積４２の中に存在する液体５０をレンズ容積４１の中へと押し込む。図１（Ｂ）は、図１（Ａ）に示される静止状態とは対照的に、領域２３の増加した偏向を示す。
【０１６２】
同様に、レンズ容積４１から液溜め容積４２へと液体５０を移動させるために、少なくとも１つの電気浸透ポンプ７０は、多孔質膜１７３を通ってポンプ容積７０１の第２領域７０３からポンプ容積７０１の第１領域７０２へと圧送液体５０ａを圧送するように構成されており、このため、アクチュエータ膜２００は、レンズ容積４１から液溜め容積４２の中へと液体を引き出す。
【０１６３】
レンズ容積４１はレンズ成形部材３０によって取り囲まれているため、１つ又はいくつかのチャネル１７７が、液溜め容積４２を中央のレンズ容積４１に接続するためにレンズ成形部材３０に配置されることができる。
【０１６４】
図２は、基本的に図１に示されるように構成されている実施形態を示し、図１とは対照的に、図２に係る実施形態では、液体５０の直接圧送が可能である。ここで、アクチュエータ膜２００は省略されており、上記膜アセンブリ７１は、ここでは、液溜め容積４２の第１領域１７４を液溜め容積４２の第２領域１７５から隔てる。
【０１６５】
ここでも、液溜め容積４１の上記領域１７４、１７５は、図２に示されるように、重ねて配置されうる。
【０１６６】
さらには、レンズ容積４１並びに液溜め容積４２の第１領域及び第２領域１７４、１７５には、上記（同じ）透明な液体５０が充填されており、特に、多孔質膜１７３（又は膜アセンブリ）は、液溜め容積４２の第２領域１７５を介してレンズ容積４１と流入接続されているか、又は少なくともレンズ容積４１と流入接続されることができる（例えば、バルブが、液溜め容積とレンズ容積との間の流路に配置されている場合。下記も参照）。
【０１６７】
さらには、レンズ１の焦点屈折力を高めるために上記液溜め容積４２からレンズ容積４１へ液体５０を移動させるために、電気浸透ポンプ７０は、液溜め容積４２の第１領域１７４から液溜め容積４２の第２領域１７５へと液体５０を圧送するように構成されている。さらに、特に、レンズ１の焦点屈折力を低下させるようにレンズ容積４１から液溜め容積４２へと上記液体５０を移動させるために、上記電気浸透ポンプは、液溜め容積の第２領域から液溜め容積の第１領域（１７５）へと液体を圧送するように構成されている。
【０１６８】
図３は、図２と併せて説明された、液体５０を直接圧送するという概念を使用する本発明に係るレンズのさらなる実施形態を示す。
【０１６９】
特に、図３によれば、当該レンズは、内側環状構造１３及び外側環状構造１４をさらに備え、膜アセンブリ７１（又は上記電気浸透ポンプ）、特に多孔質膜１７３及び上記電極１７１、１７２、は外側環状構造及び内側環状構造１３、１４に接続されている。さらに、特に、上記膜アセンブリ及び上記環状構造は、レンズのサブアセンブリを形成する。
【０１７０】
さらには、当該レンズの基部要素１０は、膜アセンブリ７１を基部要素１０に対して整列させるための、ステップ（段差）１０ｃ、好ましくは基部要素１０の周囲に沿って延在する円周状のステップ１０ｃの形態のステップ１０ｃを備える。特に、円周状のステップ１０ｃは、膜アセンブリ７１に接続されている外側環状構造１４を基部要素１０に対して整列させるために構成されており、特に、この外側環状構造は、図３に示されるように、嵌合する態様でステップ１０ｃに配置されている。
【０１７１】
さらには、設計を一層よりコンパクトにするために、レンズ成形部材３０は、内側環状構造１３によって形成され、この内側環状構造１３は、基部要素１０の前面側１１及び膜２０の裏面側２２に結合されており、このため、膜２０の上記領域２３は、内側環状構造の円形の内縁によって画定されている。
【０１７２】
さらに、外側環状構造１４は、液体５０が膜アセンブリ７１の周りから漏れることを防止するように適合している封止部材を形成し、外側環状構造１４は、基部要素１０の前面側１２に、特に、上記ステップ１０ｃで結合されている。
【０１７３】
図１〜３に示される実施形態に関して、ポンプ容積の第１領域７０２（図１参照）又は液溜め容積４２の第１領域１７４は、弾性変形可能な壁２０ａによって少なくとも部分的に輪郭画定されている。特に、図１〜３に示されるように、この壁は、透明かつ弾性的に拡張可能な膜２０の一部分２０ａによって形成されている。
【０１７４】
電気浸透ポンプ７０の膜アセンブリ７１の形状及び配向に関して、図４は、異なる可能性／実施形態をまとめる。
【０１７５】
図４（Ａ）に示される構成の特定の実施形態は、図１〜３及び図５に示されている。これらの実施形態では、それぞれの膜アセンブリ７１は、膜アセンブリ７１が第１側７１ａ及び第１側７１ａから離れる方向を向く第２側７１ｂを備えるように、基部要素１０の前面側１１に沿って延在し、第１側７１ａは基部要素１０の前面側１１から離れる方向を向き、第２側７１ｂは基部要素１０の前面側１１を向く。特に、ここで、膜アセンブリ７１は、湾曲形状、特に、円周状の形状、例えば、球台又は円錐台の形状を有することができる。
【０１７６】
さらに、図４（Ｂ）に示されるように、膜アセンブリ７１は、加えて、波形形状を備えることができる。具体的な実施形態は、図８（Ａ）及び図８（Ｂ）に示されている。
【０１７７】
特に、図８（Ａ）に示されるように、膜アセンブリ７１は、レンズ容積４１の中心からレンズ１の周囲１ａに向かう方向Ｒの波形形状を備えることができる。あるいは、図８（Ｂ）に示されるように、膜アセンブリ７１は、レンズ１の周方向に波形形状を備えることができる。
【０１７８】
さらには、図８（Ａ）に示される実施形態では、当該レンズは、任意に少なくとも１つの能動バルブ１７６を備えてもよく、レンズ１は、本明細書に記載されるように、バルブ１７６を使用して少なくとも１つのチャネル１７７を能動的に開閉するように構成されていてもよい。このような能動バルブ又はいくつかの能動バルブは、任意に、本発明の他の実施形態でも使用することができる（特に、１つ又はいくつかのチャネル、例えば、１７７、が存在する場合）。
【０１７９】
図４（Ａ）及び図４（Ｂ）に関連する上記の構成では、電気浸透ポンプ７０のそれぞれの膜アセンブリ７１は、基部要素１０の前面側１１に向かうか又は基部要素１０の前面側から離れるように向かう液体５０の流れＦを発生させるように構成されている。
【０１８０】
さらには、図４（Ｃ）は、膜アセンブリ７１が基部要素１０の前面側１１の法線方向Ｄ’に沿って、又はレンズ１の光軸Ａに平行な方向に沿って延在し、そのため、図９に示されるように、膜アセンブリ７１が、レンズ１の光軸Ａから離れる方向を向く第１側７１ａ及び上記光軸Ａを向く第２側７１ｂを備える膜アセンブリ７１の構成を示す。
【０１８１】
この種のさらなる構成は図１０及び図１１に示されており、ここでは、ポンプ７０の効率を高めるために、膜アセンブリ７１はらせん形状を備える。これらのらせん状は、さらにあとで詳細に説明される。
【０１８２】
さらには、図４（Ｄ）に示されるように、膜アセンブリ７１は、互いの上に重ねられている、互いに接続されている区画を備えることができる。
【０１８３】
特に、図４（Ｃ）及び図４（Ｄ）に示される構成では、電気浸透膜アセンブリ７１は、基部要素１０の前面側１１に沿って、特に、膜の上記第１側又は第２側に垂直に導かれる液体５０の流れＦを発生させるように構成されている。
【０１８４】
さらには、例えば、図６に示される第１実施形態によれば、膜アセンブリ７１は、湾曲部分７１０（例えば、折り目、特に、円周状（周方向）の折り目）を備え、このため、膜アセンブリ７１は、湾曲部分／折り目７１０を介して接続され互いに向かい合う第１区画７１１及び第２区画７１２を備え、膜アセンブリ７１０の上記区画７１１、７１２の各々は、実質的に、レンズ１の基部要素１０の前面側１１に沿って延在する。これにより、膜アセンブリ７１の領域を二倍にすることができる。この表面積の増加は、図７に示されるように膜を蛇腹（ベローズ）形状で形成することにより、さらに増加されることが可能である。ここで、膜アセンブリ７１は、複数の湾曲部分７１ｃを備え、各湾曲部分７１ｃは、膜アセンブリ７１の２つの隣接する区画７１３を互いに接続し、このため、膜アセンブリ７１は、基部要素１０の前面側１１の法線方向Ｄ’又はレンズ１の光軸Ａに平行な方向に重ねて配置される複数の区画７１３を備える。
【０１８５】
図１０に示される本発明に係るレンズ１のさらなる実施形態によれば、膜アセンブリ７１は、レンズ１の光軸Ａの周りにレンズ１の周方向に延在するらせんを形成し、特に、このらせんの最外ターンの端区画とさらに内部に配置されたこのらせんの隣接するターンとの間の隙間は、上記隙間を液体５０が通過することを防止するために、封止材１７８で封止される（例えば、図１３及び図１４を参照）。
【０１８６】
さらに、図１０に示されるように、らせん形状の膜アセンブリ７１は、液溜め容積４２に配置されることができ、膜アセンブリ７１は、液溜め容積４１の円周状の外側領域４１ａかららせんを巻く様式でレンズ成形部材３０に向かって延在することができ、レンズ成形部材３０は、液溜め容積４２をレンズ容積から隔てる。またここで、レンズ成形部材３０は、液溜め容積４２をレンズ容積４１に接続するためのチャネル１７７を備える。
【０１８７】
図１１は、図１０に示される実施形態の変形例を示し、ここでは、らせん形状の膜アセンブリ７１のターンは、よりコンパクトであり、このため、レンズアセンブリ７１自体がレンズ成形部材３０を形成し、液溜め容積４２をレンズ容積４１から隔てる。
【０１８８】
図１２〜１４は、図１０及び図１１に示される実施形態で用いられることが可能であるらせんを形成する膜アセンブリ７１の具体的な実施形態を示す。
【０１８９】
特に、図１３によれば、膜アセンブリ７１は、第１多孔質層及び第２多孔質層７ａ、７ｂを備えることができ、多孔質膜１７３及び上記２つの電極は、２つの多孔質層７ａ、７ｂの間に挟まれており、第１多孔質層７ａは第１電極１７１に接続されており、第２多孔質層７ｂは第２電極１７２に接続されている。多孔質層７ａ、７ｂは、膜アセンブリがコンパクトならせんへと形成されうるように、スペーサとして作用する。
【０１９０】
特に、図１３に示されるように、第２多孔質層７ｂの２つの区画７ｂｂが互いに接触し並んで延在するように、膜アセンブリ７１は、折り畳まれて折り畳み構造７１を形成し、上記２つの区画７ｂｂは、折り畳み構造７１の最内層を形成する。折り畳み後、折り畳み構造７１はらせん７１へと形成され、特に、折り畳み構造７１の折り目７１ｃは、らせんの最内ターン７１ｄの端を形成することができる。
【０１９１】
図１３は２ターンのみを示すが、らせん７１又は折り畳み構造７１は、複数のターン７１ｄを備えることができる。特に、らせん７１が多くのターン７１ｄを有するほど、図１３に示されるように、多孔質膜１７３の最外区画が液体５０の一部分５０’を誤った方向に圧送するという状況は、重大ではなくなる。
【０１９２】
液体５０が膜アセンブリによってレンズの中心に向かって（例えば、レンズ容積４１の中へ）圧送されるとき、液体５０は逃げることができないため、液体５０は、図１４に示されるように、らせん形状の折り畳み構造７１に沿って（特に、多孔質層７ｂを通って）、レンズ容積４１が配置されているらせんの中心に向かって流れる。
【０１９３】
らせん７１を封止する方法は図１３に示される。特に、折り畳み構造７１の最外ターン７１ｄｄの端区画７１ｅは、多孔質膜１７３の内側部分１７３ａ及び外側部分１７３ｂを含み、この内側部分及び外側部分１７３ａ、１７３ｂは、第２多孔質層７ｂの上記２つの区画７ｂｂによって隔てられており、上記内側部分１７３ａは、液密封止材１７８を介してらせん７１の隣接するターン７１ｄの多孔質膜１７３の隣接部分１７３ｃに接続されており、この隣接するターン７１ｄはさらに内部に配置されている。こうして、液体５０は、隣接する多孔質層区画７ｂｂに沿って流れることにより、端７１ｅでらせん７１に入ることができるだけである。電極１７１、１７２に印加される電圧の示された極性に対して、（例えば、らせん７１を取り囲むか又はさらに外側に配置される液溜め容積４２から）らせんに入る液体５０は、多孔質膜１７３を通って、図１４と併せて説明されるようにレンズ容積４１が位置しているらせん７１の中心に向かって、圧送される。
【０１９４】
電気浸透ポンプ７０の電極１７１、１７２に印加される電圧を制御するための実施形態が図１６〜１８に示される。
【０１９５】
特に、電圧を制御するために、レンズ１は、図１９に示されるような処理装置１９０を備えることができ、この処理装置１９０は、エネルギー源（例えばバッテリ）１１０に、必要とされる電圧を電極１７１、１７２に印加することを促すように構成されている。さらに、この処理装置は、より詳細にさらに後述されるセンサ８０と相互作用してもよい。
【０１９６】
（例えば、らせん形状の）電気浸透ポンプ７０を使用して上記液溜め容積４２からレンズ容積４１へ液体５０を移動させるために、電気浸透ポンプ７０は、（例えば、図１３に示されるように）対応する電圧が電極に印加されたとき、膜アセンブリを通ってレンズ容積へと液体５０を圧送するように構成されている。同様に、電圧の極性を変えると、上記液体５０は、レンズ容積４１から液溜め容積４２へと移動されることができる。
【０１９７】
電極１７１、１７２に印加される電圧の制御に関して、レンズ１は、レンズのユーザの状態及び／又は動きを検出するように構成されているセンサ８０を含んでもよく、特に、上記動きはユーザのまぶたの動きであり、又は特に、上記状態は、ユーザの完全に閉じたまぶた、又は部分的に閉じたまぶたであり、センサ８０は、上記状態及び／又は動きを示す対応する制御信号を発生するように構成されている。
【０１９８】
特に、処理装置１９０は、上記制御信号を使用して上記電圧を制御するように構成されることが可能である。
【０１９９】
特に、図１６に示されるように、処理装置１９０は、図１６の下側のグラフに示されるように所望の焦点距離又は焦点屈折力に対応するレンズ容積４１の中の液体５０の圧力を維持する膜アセンブリ７１の上記電極１７１、１７２に振幅及びレートの電圧バーストＶＢ（図１６の上側のグラフ）を印加することをエネルギー源１１０にさせる（促す）ことにより、所望の焦点距離を保持するように構成されることができる。
【０２００】
さらには、図１７に示されるように、電圧が電極１７１、１７２に印加された後、少なくとも１つの受動バルブは、レンズを調整された状態で維持するために使用することができ、この受動バルブは、レンズ容積４１からレンズ液溜め４２への液体の逆流を低減又はブロックする。
【０２０１】
さらに、レンズ１は、レンズ１の焦点距離（又は焦点屈折力）を減少させるために液体５０がレンズ容積４１から液溜め容積へと逆流することを可能にするように、開かれるように構成されている少なくとも１つの能動バルブも備えてよい。このような能動バルブの作動は、図１７の真ん中のグラフに示されており、この能動バルブは、レンズの調整された状態の最後で電圧をその能動バルブに印加することにより開かれる（図１７の下側のグラフ）。
【０２０２】
さらには、レンズ容積４１の中の液体の圧力も、図１８に示されるように、電極１７１、１７２に印加される電圧を制御するために使用することができる。
【０２０３】
このために、レンズ１は、特に、レンズ容積４１の中の液体５０の圧力を測定するように構成されており、特に、レンズ１（特に、処理装置１９０）は、レンズ容積４１の中の液体５０の測定された圧力から、レンズ１の焦点距離（又は焦点屈折力）を決定するように構成されている。これは、レンズ容積の中の液体の圧力がレンズ１の焦点屈折力／焦点距離とよく相関するため、可能である。というのも、圧力変化はほとんど即座にレンズ１の上記光学的に活性な領域２３の曲率／偏向を変化させるからである。
【０２０４】
特に、レンズ容積４１の中の上記圧力を測定するために、レンズ１（特に、上記処理装置１９０）は、膜アセンブリの電極１７１、１７２を使用して多孔質膜１７３にわたる流動電位を測定するように構成されており、この流動電位は、多孔質膜の細孔、特にナノチャネルにわたる圧力勾配によって生成され、レンズ１（特に、処理装置１９０）は、レンズ１の焦点距離を所望の値に調整するために、上記電圧を電極１７１、１７２に印加するように構成されており、レンズ１（特に、処理装置１９０）は、予め定められた時間間隔Ｔ（例えば、１０ｍｓ。図１８参照）で電極１７１、１７２から電圧を反復的に取り除き、液体５０が液溜め容積４２からレンズ容積４１へと逆流することを可能にするように構成されており、レンズ１は、それぞれの時間間隔Ｔ内での流動電位を測定するように構成されており、レンズ１（特に、処理装置１９０）は、測定された流動電位を所望の焦点距離に対応する流動電位の期待値と比較するように構成されており、レンズ１（特に、処理装置１９０）は、それぞれの測定された流動電位が流動電位の期待値に近づくように、上記電圧を調整するように構成されている。
【０２０５】
レンズ１のエネルギー源１１０の充電に関して、レンズ１（特に、上記充電デバイス）は、図２１及び図２２に示されるように、エネルギー源１１０を充電するため、及び／又は（例えば、電磁誘導を使用して）無線様式でレンズ１に給電するためのコイル１１１を備えることができる。このようなコイル１１１は、本明細書に記載されるレンズ１のすべての実施形態とともに使用することができる。ここで、上記コイル１１１以外のレンズ１のすべての導体（特に、第１電極及び第２電極１７１、１７２）は、閉ループを形成しない。
【０２０６】
特に、第１電極及び第２電極１７１、１７２並びに膜アセンブリ７１は、図２１及び図２２に示されるように、開いた円環形状を含んでもよく、又は開ループを形成してもよい。特に、第１電極及び第２電極１７１、１７２は、３６０°未満の（又はほぼ３６０°の）開ループを形成することができ、電流が閉ループの中を流れないようにするように構成されている。
【０２０７】
さらには、図２１及び図２２に関して、レンズ１は、処理装置１９０等のレンズ１の少なくとも１つの電子部品（又はコイル１１１以外のすべての電子部品）を収容するための設置スペース１９１を備えることができ、この設置スペース１９１は、開ループ又は開いた円環形状（例えば、開いた円錐台形状又は開いた球台）を形成する膜アセンブリ７１の対向する端Ｅの間に配置されている。
【０２０８】
特に、図２１に示されるように、レンズ１を充電／給電するためのコイル１１１は、レンズ容積４１の周りに延在することができ、膜アセンブリ７１とレンズ容積４１との間に配置されてもよい。あるいは、図２２に示されるように、コイル１１１は、レンズ１の周囲に沿って、膜アセンブリ７１よりもさらに外側に延在してもよい。
【０２０９】
さらには、図２０は、円錐台又は球台の形状を有する膜アセンブリ７１の製造方法を示し、この膜アセンブリは、本発明に係る電気浸透ポンプ７０のために使用することができる。特に、この方法は、
上（又は第１）面１７３ｔ及び上面１７３ｔから離れる方向を向く底（又は第２）面１７３ｂを有する多孔質膜１７３を備える平膜アセンブリシート７１’（図２０中の点線の円を参照）を準備する工程であって、電極層１７１（第１電極）が上面１７３ｔに接続されており、電極層１７２（第２電極）が底面１７３ｂに接続されている工程と、
平膜アセンブリシート７１’の湾曲部分７１を平膜アセンブリシート７１’から分離し、対向する端Ｅを有する湾曲した膜アセンブリ７１を得る工程と、
上記対向する端Ｅを液密接続Ｃにより互いに結合して、膜アセンブリ７１を円錐台形状へと形成する工程と
を備える。
【０２１０】
任意に、円錐台形状の膜アセンブリ７１は、球台へとさらに形成されることが可能であり、これは、図２０の右手側に示されている。
【０２１１】
本発明の今のところ好ましい実施形態が示され説明されているが、本発明は、それらに限定されるわけではなく、添付の特許請求の範囲の範囲内で他の態様で様々に具体化され実施されてもよいことは、明確に理解されるべきである。
【図１】
2021508379.tif 000003
【図２】
2021508379.tif 000004
【図３】
2021508379.tif 000005
【図４（Ａ）】
2021508379.tif 000006
【図４（Ｂ）】
2021508379.tif 000007
【図４（Ｃ）】
2021508379.tif 000008
【図４（Ｄ）】
2021508379.tif 000009
【図５】
2021508379.tif 000010
【図６】
2021508379.tif 000011
【図７】
2021508379.tif 000012
【図８（Ａ）】
2021508379.tif 000013
【図８（Ｂ）】
2021508379.tif 000014
【図９】
2021508379.tif 000015
【図１０】
2021508379.tif 000016
【図１１】
2021508379.tif 000017
【図１２】
2021508379.tif 000018
【図１３】
2021508379.tif 000019
【図１４】
2021508379.tif 000020
【図１５】
2021508379.tif 000021
【図１６】
2021508379.tif 000022
【図１７】
2021508379.tif 000023
【図１８】
2021508379.tif 000024
【図１９】
2021508379.tif 000025
【図２０】
2021508379.tif 000026
【図２１】
2021508379.tif 000027
【図２２】
2021508379.tif 000028
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
視力矯正用レンズ（１）であって、
裏面側（１２）、及び前記裏面側（１２）から離れる方向を向く前面側（１１）を有する透明な基部要素（１０）と、
前記基部要素（１０）に接続されている透明かつ弾性的に拡張可能な膜（２０）であって、前記基部要素（１０）の前記前面側（１１）を向く裏面側（２２）を備える透明かつ弾性的に拡張可能な膜（２０）と、
レンズ成形部材（３０）であって、前記レンズ成形部材（３０）は、調整可能な曲率を有する前記膜（２０）の領域（２３）を画定するレンズ成形部材（３０）と、
前記領域（２３）に隣接するレンズ容積（４１）であって、透明な液体（５０）が中に配置されているレンズ容積（４１）と、
前記レンズ（１）の周辺領域（２４）に配置される液溜め容積（４２）であって、透明な液体（５０）が中に配置されている液溜め容積（４２）と、
少なくとも１つの電気浸透ポンプ（７０）であって、前記膜（２０）の前記領域（２３）の曲率が変化し、これに伴い前記レンズ（１）の焦点距離が変化するように、前記液溜め容積（４２）から前記レンズ容積（４１）へ、又は前記レンズ容積（４１）から前記液溜め容積（４２）へと透明な液体（５０）を移動させるように構成されている少なくとも１つの電気浸透ポンプ（７０）と
を備えるレンズ（１）。
【請求項２】
前記少なくとも１つの電気浸透ポンプ（７０）が膜アセンブリ（７１）を備え、前記膜アセンブリ（７１）が多孔質膜（１７３）、第１電極（１７１）、及び第２電極（１７２）を備え、前記多孔質膜（１７３）が前記電極（１７１、１７２）間に配置され、並びに／又は前記電極（１７１、１７２）が前記多孔質膜（１７３）に接続されており、前記膜アセンブリ（７１）が、前記液溜め容積（４２）の第１領域（１７４）を前記液溜め容積（４２）の第２領域（１７５）から隔てることを特徴とする請求項１に記載のレンズ。
【請求項３】
前記レンズ容積（４１）並びに前記液溜め容積（４２）の前記第１領域及び前記第２領域（１７４、１７５）には、前記透明な液体（５０）が充填されており、前記多孔質膜（１７３）が、前記液溜め容積（４２）の前記第２領域（１７５）を介して前記レンズ容積（４１）と流入接続されており、前記液溜め容積（４２）から前記レンズ容積（４１）へと前記液体（５０）を移動させるために、前記少なくとも１つの電気浸透ポンプ（７０）が、前記液溜め容積（４２）の前記第１領域（１７４）から前記液溜め容積（４２）の前記第２領域（１７５）へと液体（５０）を圧送するように構成されており、並びに／又は前記レンズ容積（４１）から前記液溜め容積（４２）へと前記液体（５０）を移動させるために、前記少なくとも１つの電気浸透ポンプ（７０）が、前記液溜め容積（４２）の前記第２領域（１７５）から前記液溜め容積（４２）の前記第１領域（１７４）へと液体（５０）を圧送するように構成されていることを特徴とする請求項２に記載のレンズ。
【請求項４】
前記レンズ（１）が、前記液溜め容積（４２）をポンプ容積（７０１）から隔てるアクチュエータ膜（２００）を備え、前記膜アセンブリ（７１）が、前記ポンプ容積（７０１）を第１領域（７０２）及び第２領域（７０３）へと隔て、前記ポンプ容積（７０１）の前記第２領域（７０３）が、前記膜アセンブリ（７１）と前記アクチュエータ膜（２００）との間に配置されていることを特徴とする請求項２に記載のレンズ。
【請求項５】
前記レンズ（１）が、内側環状構造（１３）及び外側環状構造（１４）をさらに備え、前記膜アセンブリ（７１）が、前記外側環状構造及び前記内側環状構造（１３、１４）に接続されており、前記レンズ成形部材（３０）が、前記内側環状構造（１３）によって形成されることを特徴とする請求項２又は請求項２を引用するときの請求項３若しくは請求項４に記載のレンズ。
【請求項６】
前記内側環状構造（１３）が、前記基部要素（１０）の前記前面側（１１）に及び前記膜（２０）の前記裏面側（２２）に結合されていることを特徴とする請求項５に記載のレンズ。
【請求項７】
前記膜アセンブリ（７１）が、湾曲形状、円環形状、球台の形状、円錐台の形状のうちの１つを備えることを特徴とする請求項２又は請求項２を引用するときの請求項３から請求項６のいずれか一項に記載のレンズ。
【請求項８】
前記膜アセンブリ（７１）が波形形状を備えることを特徴とする請求項２又は請求項２を引用するときの請求項３から請求項７のいずれか一項に記載のレンズ。
【請求項９】
前記膜アセンブリ（７１）が複数の湾曲部分（７１ｃ）を備え、各湾曲部分（７１ｃ）が、前記膜アセンブリ（７１）の２つの隣接する区画（７１３）を互いに接続し、これにより、前記膜アセンブリ（７１）が、前記基部要素（１０）の前記前面側（１１）の法線方向（Ｄ’）に、又は前記レンズ（１）の光軸（Ａ）に平行な方向に重ねて配置される複数の区画（７１３）を備えることを特徴とする請求項２又は請求項２を引用するときの請求項３から請求項８のいずれか一項に記載のレンズ。
【請求項１０】
前記膜アセンブリ（７１）が、前記レンズ（１）の光軸（Ａ）の周りに延在するらせんを形成することを特徴とする請求項２に記載のレンズ。
【請求項１１】
前記膜アセンブリ（７１）が折り畳まれて折り畳み構造を形成し、これにより、第２多孔質層（７ｂ）の２つの区画（７ｂｂ）が互いに接触し並んで延在し、前記折り畳み構造（７１）が前記らせん（７１）へと形成されることを特徴とする請求項１０に記載のレンズ。
【請求項１２】
前記レンズ成形部材（３０）が、前記液溜め容積（４２）を前記レンズ容積（４１）から隔てることを特徴とする請求項１から請求項１１のいずれか一項に記載のレンズ。
【請求項１３】
前記膜アセンブリ（７１）が前記基部要素（１０）の前記前面側（１１）の５０％未満、好ましくは１０％未満を覆うことを特徴とする請求項２又は請求項２を引用するときの請求項３から請求項１２のいずれか一項に記載のレンズ。
【請求項１４】
前記少なくとも１つの電気浸透膜（７０）が、前記基部要素（１０）の前記前面側（１１）に沿って方向づけられた前記液体（５０）の流れ（Ｆ）を発生させるように構成されていることを特徴とする請求項１０から請求項１３のいずれか一項に記載のレンズ。
【請求項１５】
前記液溜め容積（４２）が、少なくとも１つのチャネル（１７７）を介して、又は複数のチャネル（１７７）を介して前記レンズ容積（４１）に接続されており、前記少なくとも１つのチャネル（１７７）又は前記複数のチャネル（１７７）が、
前記レンズ成形部材（３０）へと、及び／又は前記基部要素（１０）へと少なくとも部分的に形成されている、
前記レンズ成形部材（３０）へと形成されている、
前記レンズ成形部材（３０）の一部分と前記基部要素（１０）の一部分との間に配置されている、
のうちの少なくとも１つであり、前記少なくとも１つのチャネル（１７７）が０．０１ｍｍ２〜０．１５ｍｍ２の範囲の断面積を備え、及び／又は前記少なくとも１つのチャネル（１７７）が０．２５ｍｍ〜０．７５ｍｍの範囲の長さを備えることを特徴とする請求項１０から請求項１４のいずれか一項に記載のレンズ。
【請求項１６】
前記レンズ（１）が、前記レンズのユーザの状態、前記レンズのユーザの動き、前記レンズのユーザが見ている物体との距離のうちの少なくとも１つを検出するように構成されているセンサ（８０）を備え、前記センサが、前記状態、前記動き、前記距離のうちの少なくとも１つを示す対応する制御信号を発生するように構成されていることを特徴とする請求項１から請求項１５のいずれか一項に記載のレンズ。
【請求項１７】
前記レンズ（１）が、前記レンズ容積（４１）から前記液溜め容積（４２）への液体（５０）の逆流を低減又はブロックするように構成されている少なくとも１つの受動バルブを備えることを特徴とする請求項１から請求項１６のいずれか一項に記載のレンズ。
【請求項１８】
前記レンズ（１）が、少なくとも１つの能動バルブ（１７６）を備え、前記液溜め容積（４２）と前記レンズ容積（４１）との間の流入接続を遮断するために前記少なくとも１つの能動バルブ（１７６）を閉じるように構成されており、前記少なくとも１つの能動バルブ（１７６）が開いているときに前記液溜め容積（４２）から前記レンズ容積（４１）への前記液体（５０）の流れの流量を増加させるために、前記レンズ（１）が、前記少なくとも１つの能動バルブが閉じているときに前記液溜め容積（４２）の中の前記液体（５０）を加圧するように構成されており、及び／又は前記レンズ（１）が、前記少なくとも１つの能動バルブ（１７６）が開いているときに前記レンズ容積（４１）から前記液溜め容積（４２）への前記液体（５０）の流れの流量を増加させるように、前記少なくとも１つの能動バルブ（１７６）が閉じているときに、前記液溜め容積（４２）の前記第２領域（１７５）から前記液溜め容積（４２）の第１領域（１７４）へと液体（５０）を圧送し、前記液溜め容積（４２）の前記第２領域（１７５）において過少圧力を作り出すように構成されていることを特徴とする請求項１から請求項１７のいずれか一項に記載のレンズ。
【請求項１９】
前記レンズ（１）が、前記レンズ容積（４１）の中の前記液体（５０）の圧力を測定するように構成されており、前記レンズ（１）が、前記レンズ容積（４１）の中の前記液体（５０）の測定された圧力から、前記レンズ（１）の焦点距離を決定するように構成されており、前記レンズ容積（４１）の中の前記圧力を測定するために、前記レンズ（１）が、前記膜アセンブリ（７１）の前記電極（１７１、１７２）を使用して前記多孔質膜（１７３）にわたる流動電位を測定するように構成されており、前記レンズ（１）が、前記レンズ（１）の焦点距離を所望の値に調整するために、電圧を前記電極（１７１、１７２）に印加するように構成されており、前記レンズ（１）が、予め定められた時間間隔で前記電極（１７１、１７２）から前記電圧を反復的に取り除き、液体（５０）が前記液溜め容積（４２）から前記レンズ容積（４１）へと逆流することを可能にするように構成されており、前記レンズ（１）が、それぞれの時間間隔内での前記流動電位を測定するように構成されており、前記レンズ（１）が、測定された流動電位を所望の焦点距離に対応する流動電位の期待値と比較するように構成されており、前記レンズ（１）が、それぞれの測定された流動電位が前記流動電位の前記期待値に近づくように、前記電圧を調整するように構成されていることを特徴とする請求項１から請求項１８のいずれか一項に記載のレンズ。
【請求項２０】
電気浸透ポンプ（７０）用の膜アセンブリ（７１）の製造方法であって、
上面（１７３ｔ）及び前記上面（１７３ｔ）から離れる方向を向く底面（１７３ｂ）を有する多孔質膜（１７３）を備える平膜アセンブリシート（７１’）を準備する工程であって、電極層（１７１）が前記上面（１７３ｔ）に配置されており、電極層（１７２）が前記底面（１７３ｂ）に配置されている工程と、
前記平膜アセンブリシート（７１’）の湾曲部分（７１）を前記平膜アセンブリシート（７１’）から分離し、対向する端（Ｅ）を有する湾曲した膜アセンブリ（７１）を得る工程と、
前記対向する端（Ｅ）を液密接続（Ｃ）により互いに結合して、前記膜アセンブリ（７１）を円錐台形状へと形成する工程と
を備え、前記円錐台形状の膜アセンブリ（７１）が球台へと形成される方法。
【国際調査報告】
2021508379.tif 000029
2021508379.tif 000030
2021508379.tif 000031
2021508379.tif 000032
2021508379.tif 000033
2021508379.tif 000034